(57)【特許請求の範囲】
【請求項１】
ワイヤレス通信のための装置であって、
アップリンク送信機会の第１のインジケーションを備えるクリアツートランスミットメッセージを生成することと、
２つ以上の局が複数のアップリンクデータ送信の終わりにパケット拡張シンボルを含めるかどうかについてのインジケーションを備えるようにして前記クリアツートランスミットメッセージを生成することと
を行うように構成された電子ハードウェアプロセッサ、前記クリアツートランスミットメッセージは、特定の時間において、前記２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される前記複数のアップリンクデータ送信の長さを示す持続時間フィールドをさらに備え、ここにおいて、前記示された長さは、直交周波数分割多重化シンボルの数に対応する、と、
前記２つ以上の局に前記クリアツートランスミットメッセージを送信するように構成された送信機と、
前記２つ以上の局のうちの少なくとも２つの局から前記特定の時間において前記複数のアップリンクデータ送信を受信するように構成された受信機と
を備える、装置。
【請求項２】
ワイヤレス通信のための装置であって、
アップリンク送信機会の第１のインジケーションを備えるクリアツートランスミットメッセージを生成することと、
２つ以上の局が送信することの前にワイヤレス媒体の状態を検討するという第２のインジケーションを備えるようにして前記クリアツートランスミットメッセージを生成することと
を行うように構成された電子ハードウェアプロセッサ、前記クリアツートランスミットメッセージは、特定の時間において、前記２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記クリアツートランスミットメッセージは、前記ワイヤレス媒体の前記状態を検討する際に前記２つ以上の局によって利用されるクリアチャネルアセスメントしきい値の第３のインジケーションをさらに備える、と、
前記２つ以上の局に前記クリアツートランスミットメッセージを送信するように構成された送信機と、
前記２つ以上の局のうちの少なくとも２つの局から前記特定の時間において前記複数のアップリンクデータ送信を受信するように構成された受信機と
を備える、装置。
【請求項３】
ワイヤレス通信のための装置であって、
アップリンク送信機会の第１のインジケーションを備えるクリアツートランスミットメッセージを生成することと、
ランダムアクセスのための１つまたは複数のリソースユニットを決定することと、
前記クリアツートランスミットメッセージに、前記１つまたは複数のリソースユニットのインジケーションを含めることと
を行うように構成された電子ハードウェアプロセッサ、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記２つ以上の局に前記クリアツートランスミットメッセージを送信するように構成された送信機と、
前記２つ以上の局のうちの少なくとも２つの局から前記特定の時間において前記複数のアップリンクデータ送信を受信することと、
前記１つまたは複数のリソースユニットに基づいて、ランダムアクセスアップリンクデータを受信することと
を行うように構成された受信機と
を備える、装置。
【請求項４】
ワイヤレス通信のための装置であって、
アップリンク送信機会の第１のインジケーションを備えるクリアツートランスミットメッセージを生成することと、
複数のアップリンクデータ送信のために２つ以上の局によって利用されるパケットタイプの第２のインジケーションおよび前記アップリンク送信機会の間、関連の局が送信し得るか非関連の局が送信し得るかについての第３のインジケーションを備えるようにして前記クリアツートランスミットメッセージを生成することと
ように構成された電子ハードウェアプロセッサ、前記クリアツートランスミットメッセージは、特定の時間において、前記２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される前記複数のアップリンクデータ送信の長さを示す持続時間フィールドをさらに備え、ここにおいて、前記示された長さは、直交周波数分割多重化シンボルの数に対応する、と、
前記２つ以上の局に前記クリアツートランスミットメッセージを送信するように構成された送信機と、
前記２つ以上の局のうちの少なくとも２つの局から前記特定の時間において前記複数のアップリンクデータ送信を受信するように構成された受信機と
を備える、装置。
【請求項５】
前記持続時間フィールドは、９つのビットを備える、請求項１乃至４のいずれか１項に記載の装置。
【請求項６】
前記電子ハードウェアプロセッサは、前記クリアツートランスミットメッセージの送信電力および前記複数のアップリンクデータ送信のためのターゲット受信電力の第２のインジケーションを備えるようにして前記クリアツートランスミットメッセージを生成するようにさらに構成される、請求項１乃至４のいずれか１項に記載の装置。
【請求項７】
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成すること、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記２つ以上の局が前記複数のアップリンクデータ送信の終わりにパケット拡張シンボルを含めるかどうかについてのインジケーションをさらに含むようにして前記クリアツートランスミットメッセージを生成することと、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において前記複数のアップリンクデータ送信を受信することと  を備える、方法。
【請求項８】
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成すること、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記２つ以上の局が送信することの前にワイヤレス媒体の状態を検討するという第２のインジケーション、および前記ワイヤレス媒体の前記状態を検討する際に前記２つ以上の局によって利用されるクリアチャネルアセスメントしきい値の第３のインジケーションをさらに含むようにして前記クリアツートランスミットメッセージを生成することと、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において前記複数のアップリンクデータ送信を受信することと  を備える、方法。
【請求項９】
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成すること、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
ランダムアクセスのための１つまたは複数のリソースユニットを決定することと、
前記電子ハードウェアプロセッサを介して、前記２つ以上の局に前記クリアツートランスミットメッセージを送信することと、
前記クリアツートランスミットメッセージにおいて、前記１つまたは複数のリソースユニットのインジケーションを送信することと、
前記電子ハードウェアプロセッサを介して、前記２つ以上の局のうちの少なくとも２つの局から前記特定の時間において前記複数のアップリンクデータ送信を受信することと、
前記１つまたは複数のリソースユニットに基づいて、ランダムアクセスアップリンクデータを受信することと
を備える、方法。
【請求項１０】
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成すること、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、と、
前記複数のアップリンクデータ送信のために前記２つ以上の局によって利用されるパケットタイプのインジケーションをさらに含むようにして前記クリアツートランスミットメッセージを生成すること、ここにおいて、前記クリアツートランスミットメッセージは、前記アップリンク送信機会の間、関連の局が送信し得るか非関連の局が送信し得るかについてのインジケーションをさらに備える、と、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において前記複数のアップリンクデータ送信を受信することと  を備える、方法。
【請求項１１】
前記持続時間フィールドは、９つのビットを備える、請求項７乃至１０のいずれか１項に記載の方法。
【請求項１２】
前記クリアツートランスミットメッセージの送信電力および前記複数のアップリンクデータ送信のためのターゲット受信電力のインジケーションをさらに含むようにして前記クリアツートランスミットメッセージを生成することをさらに備える、請求項７ないし１０のいずれか１項に記載の方法。
【請求項１３】
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記生成するための手段は、前記２つ以上の局が前記複数のアップリンクデータ送信の終わりにパケット拡張シンボルを含めるかどうかについてのインジケーションを含むようにして前記クリアツートランスミットメッセージを生成するように構成される、
前記２つ以上の局に前記クリアツートランスミットメッセージを送信するための手段と、
前記２つ以上の局のうちの少なくとも２つの局から前記特定の時間において前記複数のアップリンクデータ送信を受信するための手段と
を備える、装置。
【請求項１４】
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記生成するための手段は、前記２つ以上の局が送信することの前にワイヤレス媒体の状態を検討するという第２のインジケーションを含むようにして前記クリアツートランスミットメッセージを生成するように構成され、前記ワイヤレス媒体の前記状態を検討する際に前記２つ以上の局によって利用されるクリアチャネルアセスメントしきい値の第３のインジケーションを含むようにして前記クリアツートランスミットメッセージを生成するようにまた構成される、
前記２つ以上の局に前記クリアツートランスミットメッセージを送信するための手段と、
前記２つ以上の局のうちの少なくとも２つの局から前記特定の時間において前記複数のアップリンクデータ送信を受信するための手段と
を備える、装置。
【請求項１５】
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、
ランダムアクセスのための１つまたは複数のリソースユニットを決定するための手段と、
前記２つ以上の局に前記クリアツートランスミットメッセージを送信するための手段と、
前記クリアツートランスミットメッセージにおいて、前記１つまたは複数のリソースユニットのインジケーションを送信するための手段と、
前記２つ以上の局のうちの少なくとも２つの局から前記特定の時間において前記複数のアップリンクデータ送信を受信するための手段と、
前記１つまたは複数のリソースユニットに基づいて、ランダムアクセスアップリンクデータを受信するための手段と
を備える、装置。
【請求項１６】
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記生成するための手段は、前記複数のアップリンクデータ送信のために前記２つ以上の局によって利用されるパケットタイプの第２のインジケーションを含むようにして前記クリアツートランスミットメッセージを生成するように構成され、前記生成するための手段はまた、前記アップリンク送信機会の間、関連の局が送信し得るか非関連の局が送信し得るかについての第３のインジケーションをさらに含むようにして前記クリアツートランスミットメッセージを生成するように構成される、
前記２つ以上の局に前記クリアツートランスミットメッセージを送信するための手段と、
前記２つ以上の局のうちの少なくとも２つの局から前記特定の時間において前記複数のアップリンクデータ送信を受信するための手段と
を備える、装置。
【請求項１７】
前記持続時間フィールドは、９つのビットを備える、請求項１３乃至１６のいずれか１項に記載の装置。
【請求項１８】
前記生成するための手段は、前記クリアツートランスミットメッセージの送信電力および前記複数のアップリンクデータ送信のためのターゲット受信電力のインジケーションを含むようにして前記クリアツートランスミットメッセージを生成するように構成される、請求項１３乃至１６のいずれか１項に記載の装置。
【請求項１９】
コンピュータプログラムであって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記クリアツートランスミットメッセージは、前記２つ以上の局が前記複数のアップリンクデータ送信の終わりにパケット拡張シンボルを含めるかどうかについてのインジケーションを備えるようにしてさらに生成される、、
前記２つ以上の局に前記クリアツートランスミットメッセージを送信することと、
前記２つ以上の局のうちの少なくとも２つの局から前記特定の時間において前記複数のアップリンクデータ送信を受信することと
の方法を行わせる命令を備える、コンピュータプログラム。
【請求項２０】
コンピュータプログラムであって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記クリアツートランスミットメッセージは、前記２つ以上の局が送信することの前にワイヤレス媒体の状態を検討するという第２のインジケーションを備えるようにしてさらに生成され、ここにおいて、前記クリアツートランスミットメッセージは、前記ワイヤレス媒体の前記状態を検討する際に前記２つ以上の局によって利用されるクリアチャネルアセスメントしきい値の第３のインジケーションをさらに備える、
前記２つ以上の局に前記クリアツートランスミットメッセージを送信することと、
前記２つ以上の局のうちの少なくとも２つの局から前記特定の時間において前記複数のアップリンクデータ送信を受信することと
の方法を行わせる命令を備える、コンピュータプログラム。
【請求項２１】
コンピュータプログラムであって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応する、
ランダムアクセスのための１つまたは複数のリソースユニットを決定することと、
前記２つ以上の局に前記クリアツートランスミットメッセージを送信することと、
前記クリアツートランスミットメッセージにおいて、前記１つまたは複数のリソースユニットのインジケーションを送信することと、
前記２つ以上の局のうちの少なくとも２つの局から前記特定の時間において前記複数のアップリンクデータ送信を受信することと、
前記１つまたは複数のリソースユニットに基づいて、ランダムアクセスアップリンクデータを受信することと
の方法を行わせる命令を備える、コンピュータプログラム。
【請求項２２】
コンピュータプログラムであって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備え、前記クリアツートランスミットメッセージは、前記２つ以上の局の全てに共通の情報を含む共通情報フィールドをさらに備え、前記クリアツートランスミットメッセージは、それぞれ前記２つ以上の局の各々に対応する２つ以上の個別情報フィールドをさらに備え、前記クリアツートランスミットメッセージは、前記特定の時間において、前記２つ以上の局から受信される複数のアップリンクデータ送信の長さを示す持続時間フィールドをさらに備え、ここにおいて、前記示された長さは、直交周波数分割多重化シンボルの数に対応し、前記クリアツートランスミットメッセージは、前記複数のアップリンクデータ送信のために前記２つ以上の局によって利用されるパケットタイプのインジケーションを備えるようにしてさらに生成され、前記クリアツートランスミットメッセージは、前記アップリンク送信機会の間、関連の局が送信し得るか非関連の局が送信し得るかについてのインジケーションをさらに備える、
前記２つ以上の局に前記クリアツートランスミットメッセージを送信することと、
前記２つ以上の局のうちの少なくとも２つの局から前記特定の時間において前記複数のアップリンクデータ送信を受信することと
の方法を行わせる命令を備える、コンピュータプログラム。
【請求項２３】
前記持続時間フィールドは、９つのビットを備える、請求項１９乃至２２のいずれか１項に記載のコンピュータプログラム。
【請求項２４】
前記クリアツートランスミットメッセージは、前記クリアツートランスミットメッセージの送信電力および前記複数のアップリンクデータ送信のためのターゲット受信電力のインジケーションを備えるようにしてさらに生成される、請求項１９乃至２２のいずれか１項に記載のコンピュータプログラム。
【発明の詳細な説明】
【技術分野】
【０００１】
[0001]  本開示のある特定の態様は、一般に、ワイヤレス通信に関連し、より具体的には、ワイヤレスネットワークにおける複数のユーザアップリンク通信のための方法および装置に関連する。
【背景技術】
【０００２】
[0002]  多くの電気通信システムでは、通信ネットワークが、いくつかの、対話する空間的に隔てられたデバイス間でメッセージを交換するために使用される。ネットワークは、例えば、メトロポリタンエリア、ローカルエリア、またはパーソナルエリアであり得る、地理的な範囲に応じて分類され得る。そのようなネットワークは、それぞれ、ワイドエリアネットワーク（ＷＡＮ）、メトロポリタンエリアネットワーク（ＭＡＮ：metropolitan area network）、ローカルエリアネットワーク（ＬＡＮ）、またはパーソナルエリアネットワーク（ＰＡＮ）に指定され得る。ネットワークはまた、様々なネットワークノードとデバイスを相互接続するために使用される交換（switching）／ルーティングの技法（例えば、回線交換対パケット交換）、送信のために用いられる物理媒体のタイプ（例えば、ワイヤード（wired）対ワイヤレス）、および使用される通信プロトコルのセット（例えば、インターネットプロトコル群、ＳＯＮＥＴ（同期型光ネットワーク）、イーサネット（登録商標）等）に準じて異なる。
【０００３】
[0003]  ワイヤレスネットワークは、ネットワーク要素が移動式であり、それにより動的な接続の必要性（dynamic connectivity needs）を有するとき、またはネットワークアーキテクチャが、固定式よりもむしろ、アドホックトポロジに形成される場合に、しばしば、好まれる。ワイヤレスネットワークは、電波（radio）、マイクロ波、赤外線、光（optical）、等の周波数帯域ににある電磁波を使用する無誘導伝搬モード（unguided propagation mode）にある無形（intangible）物理媒体を採用する。ワイヤレスネットワークは、固定式ワイヤードネットワークと比べて有利に、ユーザ移動性および迅速なフィールド展開を容易にする。
【０００４】
[0004]  ワイヤレス通信システムのために求められる、ますます増加する帯域幅要件の課題に対処するために、高いデータスループットを達成しながらチャネルリソースを共有することによって複数のワイヤレス局が単一のアクセスポイントと通信することを可能にするために、異なる複数のスキームが開発されている。通信リソースが制限されているので、複数のアクセスポイントと複数の端末との間を通過するトラフィックの量を減らすことが望ましい。例えば、複数の端末がアクセスポイントにアップリンク通信を送るとき、全ての送信のアップリンクを完了するためにトラフィックの量を最小限にすることが望ましい。このように、複数の端末からのアップリンク送信のための改善されたプロトコルの必要性がある。
【発明の概要】
【０００５】
[0005]  添付の特許請求の範囲内のシステム、方法、およびデバイスの様々な実施形態は、各々、いくつかの態様を有し、それらのうちのどれ１つとして、ただ単独ではここに説明される望ましい属性（attributes）を担うものではない。添付の請求項の範囲を限定することなく、いくつかの顕著な特徴が本明細書で説明される。
【０００６】
[0006]  本明細書で説明される発明の主題の１つまたは複数の実施形態の詳細は、添付図面および以下の説明で述べられる。他の特徴、態様、および利点は、説明、図面、および請求項から明らかになるであろう。以下の図の相対的な寸法は原寸に比例して描かれていないことがあることに留意されたい。
【０００７】
[0007]  開示される１つの態様は、ワイヤレス通信のための装置である。装置は、アップリンク送信機会の第１のインジケーションを備えるクリアツートランスミットメッセージを生成するように構成された電子ハードウェアプロセッサ、クリアツートランスミットメッセージは、特定の時間において、２つ以上の局がアップリンクデータをコンカレントに送信することを求める要求をさらに備える、と、２つ以上の局にクリアツートランスミットメッセージを送信するように構成された送信機と、２つ以上の局のうちの少なくとも２つの局から特定の時間において複数のアップリンクデータ送信を受信するように構成された受信機とを含む。
【０００８】
[0008]  装置のいくつかの態様において、電子ハードウェアプロセッサは、２つ以上の局の全てに共通の情報を含む共通情報フィールドおよび２つ以上の局の各々にそれぞれ対応する２つ以上の個別情報フィールドを備えるためにクリアツートランスミットメッセージを生成するようにさらに構成される。装置のいくつかの態様において、電子ハードウェアプロセッサは、複数のアップリンクデータ送信のために使用されるＯＦＤＭシンボルの数を示す９つのビットの持続時間フィールドを備えるためにクリアツートランスミットメッセージを生成するようにさらに構成される。
【０００９】
[0009]  装置のいくつかの態様において、電子ハードウェアプロセッサは、２つ以上の局が複数のアップリンクデータ送信の終わりでパケット拡張シンボルを含むかどうかについてのインジケーションを備えるためにクリアツートランスミットメッセージを生成するようにさらに構成される。装置のいくつかの態様において、電子ハードウェアプロセッサは、２つ以上の局が送信することの前にワイヤレス媒体の状態を検討するという第２のインジケーションを備えるためにクリアツートランスミットメッセージを生成するようにさらに構成され、ここにおいて、クリアツートランスミットメッセージは、ワイヤレス媒体の状態を検討中の２つ以上の局によって利用されるクリアチャネルアセスメントしきい値の第３のインジケーションをさらに備える。装置のいくつかの態様において、電子ハードウェアプロセッサは、ランダムアクセスのための１つまたは複数のリソースユニットを決定するように、およびクリアツートランスミットメッセージにおいて、１つまたは複数のリソースユニットのインジケーションを含むようにさらに構成され、受信機は、１つまたは複数のリソースユニットに基づいて、ランダムアクセスアップリンクデータを受信するようにさらに構成される。
【００１０】
[0010]  装置のいくつかの態様において、電子ハードウェアプロセッサは、複数のアップリンクデータ送信のために２つ以上の局によって利用されるパケットタイプの第２のインジケーションおよびアップリンク送信機会の間、関連のまたは非関連の局が、送信し得るかどうかについての第３のインジケーションを備えるためにクリアツートランスミットメッセージを生成するようにさらに構成される。装置のいくつかの態様において、電子ハードウェアプロセッサは、クリアツートランスミットメッセージの送信電力および複数のアップリンクデータ送信のためのターゲット受信電力の第２のインジケーションを備えるためにクリアツートランスミットメッセージを生成するようにさらに構成される。
【００１１】
[0011]  開示される別の態様は、ワイヤレス通信のための方法である。方法は、電子ハードウェアプロセッサを介して、アップリンク送信機会、および、特定の時間において、２つ以上の局がアップリンクデータをコンカレントに送信することを求める要求を示すクリアツートランスミットメッセージを生成することと、電子ハードウェアプロセッサを介して、２つ以上の局にクリアツートランスミットメッセージを送信することと、電子ハードウェアプロセッサを介して、２つ以上の局のうちの少なくとも２つの局から特定の時間において複数のアップリンクデータ送信を受信することとを含む。いくつかの態様において、方法はまた、２つ以上の局の全てに共通の情報を含む共通情報フィールド、および２つ以上の局の各々にそれぞれ対応する２つ以上の個別情報フィールドをさらに含むためにクリアツートランスミットメッセージを生成することを含む。いくつかの態様において、方法はまた、複数のアップリンクデータ送信のために使用されるＯＦＤＭシンボルの数を示す９つのビットの持続時間フィールドをさらに含むために、クリアツートランスミットメッセージを生成すること含む。いくつかの態様において、方法はまた、２つ以上の局が複数のアップリンクデータ送信の終わりでパケット拡張シンボルを含むかどうかについてのインジケーションをさらに含むためにクリアツートランスミットメッセージを生成することを含む。いくつかの態様において、方法はまた、２つ以上の局が送信することの前にワイヤレス媒体の状態を検討するという第２のインジケーション、およびワイヤレス媒体の状態を検討中の２つ以上の局によって利用されるクリアチャネルアセスメントしきい値の第３のインジケーションをさらに含むためにクリアツートランスミットメッセージを生成することを含む。いくつかの態様において、方法はまた、ランダムアクセスのための１つまたは複数のリソースユニットを決定することと、クリアツートランスミットメッセージにおいて、１つまたは複数のリソースユニットのインジケーションを送信することと、１つまたは複数のリソースユニットに基づいて、ランダムアクセスアップリンクデータを受信することとを含む。
【００１２】
[0012]  いくつかの態様において、方法はまた、複数のアップリンクデータ送信のための２つ以上の局によって利用されるパケットタイプのインジケーションをさらに含むためにクリアツートランスミットメッセージを生成することを含み、クリアツートランスミットメッセージは、アップリンク送信機会の間、関連のまたは非関連の局が、送信し得るかどうかについてのインジケーションをさらに備える。いくつかの態様において、方法はまた、クリアツートランスミットメッセージの送信電力および複数のアップリンクデータ送信のためのターゲット受信電力のインジケーションをさらに含むためにクリアツートランスミットメッセージを生成することを含む。
【００１３】
[0013]  開示される別の態様は、ワイヤレス通信のための装置である。装置は、アップリンク送信機会を示すクリアツートランスミットメッセージを生成するための手段、クリアツートランスミットメッセージは、特定の時間において、２つ以上の局がアップリンクデータをコンカレントに送信することを求める要求をさらに備える、と、２つ以上の局にクリアトランスミットメッセージを送信するための手段と、２つ以上の局のうちの少なくとも２つの局から特定の時間において複数のアップリンクデータ送信を受信するための手段とを含む。装置のいくつかの態様において、生成するための手段は、２つ以上の局の全てに共通の情報を含む共通情報フィールドを含むためにクリアツートランスミットメッセージを生成するように、および、２つ以上の局の各々にそれぞれ対応する２つ以上の個別情報フィールドを含むためにクリアツートランスミットメッセージを生成するように構成される。装置のいくつかの態様において、生成するための手段は、複数のアップリンクデータ送信のために使用されるＯＦＤＭシンボルの数を示す９つのビットの持続時間フィールドを含むためにクリアツートランスミットメッセージを生成するように構成される。装置のいくつかの態様において、生成するための手段は、２つ以上の局が複数のアップリンクデータ送信の終わりでパケット拡張シンボルを含むかどうかについてのインジケーションを含むためにクリアツートランスミットメッセージを生成するように構成される。装置のいくつかの態様において、生成するための手段は、２つ以上の局が送信することの前にワイヤレス媒体の状態を検討するという第２のインジケーションを含むためにクリアツートランスミットメッセージを生成するように構成され、ワイヤレス媒体の状態を検討中の２つ以上の局によって利用されるクリアチャネルアセスメントしきい値の第３のインジケーションを含むためにクリアツートランスミットメッセージを生成するようにまた構成される。装置のいくつかの態様は、ランダムアクセスのための１つまたは複数のリソースユニットを決定するための手段と、クリアツートランスミットメッセージにおいて、１つまたは複数のリソースユニットのインジケーションを送信するための手段と、１つまたは複数のリソースユニットに基づいて、ランダムアクセスアップリンクデータを受信するための手段とを含む。
【００１４】
[0014]  装置のいくつかの態様において、生成するための手段は、複数のアップリンクデータ送信のために２つ以上の局によって利用されるパケットタイプの第２のインジケーションを含むためにクリアツートランスミットメッセージを生成するように構成され、ここにおいて、生成するための手段はまた、アップリンク送信機会の間、関連のまたは非関連の局が、送信し得るかどうかについての第３のインジケーションをさらに含むためにクリアツートランスミットメッセージを生成するように構成される。装置のいくつかの態様において、生成するための手段は、クリアツートランスミットメッセージの送信電力および複数のアップリンクデータ送信のためのターゲット受信電力のインジケーションを含むためにクリアツートランスミットメッセージを生成するように構成される。
【００１５】
[0015]  開示された別の態様は、実行されたときにプロセッサに方法を行わせる命令を備える非一時的なコンピュータ読取り可能媒体である。方法は、アップリンク送信機会を示すクリアツートランスミットメッセージを生成すること、クリアツートランスミットメッセージは、特定の時間において、２つ以上の局がアップリンクデータをコンカレントに送信することを求める要求をさらに備える、と、２つ以上の局にクリアツートランスミットメッセージを送信することと、２つ以上の局のうちの少なくとも２つの局から特定の時間において複数のアップリンクデータ送信を受信することとを含み得る。
【００１６】
[0016]  いくつかの態様において、クリアツートランスミットメッセージは、２つ以上の局の全てに共通の情報を含む共通情報フィールドを備えるためにさらに生成され、ここにおいて、クリアツートランスミットメッセージは、２つ以上の局の各々にそれぞれ対応する２つ以上の個別情報フィールドをさらに備える。いくつかの態様において、クリアツートランスミットメッセージは、複数のアップリンクデータ送信のために使用されるＯＦＤＭシンボルの数を示す９つのビットの持続時間フィールドを備えるためにさらに生成される。いくつかの態様において、クリアツートランスミットメッセージは、２つ以上の局が複数のアップリンクデータ送信の終わりでパケット拡張シンボルを含むかどうかについてのインジケーションを備えるためにさらに生成される。いくつかの態様において、クリアツートランスミットメッセージは、２つ以上の局が送信することの前にワイヤレス媒体の状態を検討するという第２のインジケーションを備えるためにさらに生成され、ここにおいて、クリアツートランスミットメッセージは、ワイヤレス媒体の状態を検討中の２つ以上の局によって利用されるクリアチャネルアセスメントしきい値の第３のインジケーションをさらに備える。いくつかの態様において、方法はまた、ランダムアクセスのための１つまたは複数のリソースユニットを決定することと、クリアツートランスミットメッセージにおいて、１つまたは複数のリソースユニットのインジケーションを送信することと、１つまたは複数のリソースユニットに基づいて、ランダムアクセスアップリンクデータを受信することとを含む。
【００１７】
[0017]  いくつかの態様において、複数のアップリンクデータ送信のための２つ以上の局によって利用されるパケットタイプのインジケーションを備えるためにクリアツートランスミットメッセージはさらに生成され、ここにおいて、クリアツートランスミットメッセージは、アップリンク送信機会の間、関連のまたは非関連の局が、送信し得るかどうかについてのインジケーションをさらに備える、
いくつかの態様において、クリアツートランスミットメッセージは、クリアツートランスミットメッセージの送信電力および複数のアップリンクデータ送信のためのターゲット受信電力のインジケーションを備えるためにさらに生成される。
【図面の簡単な説明】
【００１８】
【図１】アクセスポイントおよびワイヤレス局を有する多元接続多入力多出力（ＭＩＭＯ）システムを例示する。
【図２】ＭＩＭＯシステムにおけるアクセスポイントおよび２つのワイヤレス局ブロック図を例示する。
【図３】ワイヤレス通信システム内で用いられ得るワイヤレスデバイスにおいて利用され得る様々なコンポーネントを例示する。
【図４Ａ】アップリンク（ＵＬ）ＭＵ−ＭＩＭＯ通信の例となるフレーム交換の時間図を示す。
【図４Ｂ】アップリンク（ＵＬ）ＭＵ−ＭＩＭＯ通信の例となるフレーム交換の時間図を示す。
【図５】ＵＬ−ＭＵ−ＭＩＭＯ通信の別の例となるフレーム交換の時間図を示す。
【図６】ＵＬ−ＭＵ−ＭＩＭＯ通信の別の例となるフレーム交換の時間図を示す。
【図７】ＵＬ−ＭＵ−ＭＩＭＯ通信の別の例となるフレーム交換の時間図を示す。
【図８】マルチユーザアップリンク通信の１つの具体例のメッセージタイミング図である。
【図９】リクエストツートランスミット（ＲＴＸ）フレームの１つの具体例の図を示す。
【図１０】クリアツートランスミット（ＣＴＸ）フレームの１つの具体例の図を示す。
【図１１】ＣＴＸフレームの別の具体例の図を示す。
【図１２】ＣＴＸフレームの別の具体例の図を示す。
【図１３】ＣＴＸフレームの別の具体例の図を示す。
【図１４】ＣＴＸフレームの別の具体例の図を示す。
【図１５】ワイヤレス通信を提供するための例となる方法の一態様のフローチャートである。
【詳細な説明】
【００１９】
[0034]  新規のシステム、装置、および方法の多様な態様が、添付図面を参照して下文により十分に説明される。しかしながら、教示する開示は、多くの異なる形式で具現化され、本開示全体を通して提示されるいずれの特定の構造または機能に限定されるものとして解釈されるべきではない。むしろ、これらの態様は、本開示が徹底的かつ完全となり、当業者に本開示の範囲を十分に伝えることになるように提供される。ここでの教示に基づいて、本発明の他のいずれの態様からも独立して実施されるか、本発明の他のいずれかの態様と組み合わされて実施されるかに関わらず、本開示の範囲が、ここで開示されている新規のシステム、装置、および方法のあらゆる態様をカバーするように意図されていることを、当業者は認識すべきである。例えば、ここで述べられている任意の数の態様を使用して、装置は実施され得る、または方法は実施され得る。加えて、本発明の範囲は、ここで説明される本発明の様々な態様に加えて、またはそれら以外の、他の構造、機能、または構造と機能を使用して実施されるこのような装置または方法をカバーすることが意図される。ここで開示されるいずれの態様も、請求項の１つまたは複数の要素によって、具現化され得ることが理解されるべきである。
【００２０】
[0035]  特定の態様が本明細書で説明されるが、これらの態様の多くの変形および置換が、本開示の範囲内に入る。好まれる態様のいくつかの利点および利益が言及されるが、本開示の範囲は、特定の利点、用途、または目的に限定されるようには意図されていない。むしろ本開示の態様は、異なるワイヤレス技術、システム構成、ネットワーク、および送信プロトコルに広く適用可能であるように意図されており、それらのうちのいくつかが、図において、および好まれる態様の以下の説明において例として例示される。詳細な説明および図面は、限定よりもむしろ本開示を単に例示するものであり、本開示の範囲は、添付の請求項およびそれらの等価物によって定義される。
【００２１】
[0036]  ワイヤレスネットワーク技術は、様々なタイプのワイヤレスローカルエリアネットワーク（ＷＬＡＮ）を含み得る。ＷＬＡＮは、広く使用されているネットワーキングプロトコルを用いて、近くのデバイスを一緒に相互接続するために使用され得る。ここで説明されている様々な態様は、Ｗｉ−Ｆｉのような、あらゆる通信規格、またはより一般的には、ＩＥＥＥ８０２．１１ファミリのワイヤレスプロトコルのいずれのメンバにも適用される（apply to）ことができる。
【００２２】
[0037]  いくつかの態様では、ワイヤレス信号が、直交周波数分割多重化（ＯＦＤＭ）、直接シーケンス・スペクトラム拡散方式（ＤＳＳＳ）通信、ＯＦＤＭとＤＳＳＳ通信の組合せ、または他のスキームを使用する高効率８０２．１１プロトコルに従って送信され得る。高効率８０２．１１プロトコルの実施形態は、インターネットアクセス、センサ、メータリング、スマートグリッドネットワーク、または他のワイヤレスアプリケーションのために使用され得る。この特定のワイヤレスプロトコルを実施するある特定のデバイスの態様は、有利に、他のワイヤレスプロトコルを実施するデバイスよりも少ない電力を消費し得、短距離にわたってワイヤレス信号を送信するために使用され得、および／または、例えば、人間のような、物体によって妨害される可能性が低い信号を送信することが可能であり得る。
【００２３】
[0038]  いくつかの実施形態において、ＷＬＡＮは、ワイヤレスネットワークにアクセスするコンポーネントである様々なデバイスを含む。例えば、２つのタイプのデバイス：アクセスポイント（「ＡＰ」）およびクライアント（局、または「ＳＴＡ」とも呼ばれる）があり得る。一般に、ＡＰは、ＷＬＡＮのための基地局またはハブとしての役割をし、ＳＴＡは、ＷＬＡＮのユーザとしての役割をする。例えば、ＳＴＡは、ラップトップコンピュータ、携帯情報端末（ＰＤＡ）、移動式電話、等であり得る。ある例では、ＳＴＡが、インターネットへの、または他のワイドエリアネットワークへの一般的な接続を取得するために、Ｗｉ−Ｆｉ（例えば、８０２．１１ａｈのようなＩＥＥＥ８０２．１１プロトコル）対応ワイヤレスリンクを介してＡＰに接続する。いくつかの実施形態において、ＳＴＡはまた、ＡＰとして使用され得る。
【００２４】
[0039]  ここで説明される技術は、直交多重化スキームに基づく通信システムを含め、様々なブロードバンドワイヤレス通信システムのために使用され得る。このような通信システムの例は、空間分割多元接続（ＳＤＭＡ：Spatial Division Multiple Access）、時分割多元接続（ＴＤＭＡ）、直交周波数分割多元接続（ＯＦＤＭＡ）システム、単一キャリア周波数分割多元接続（ＳＣ−ＦＤＭＡ）システム、などを含む。ＳＤＭＡシステムは、複数のＳＴＡに属するデータを同時に送信するために、十分に異なる方向を利用し得る。ＴＤＭＡシステムは、異なるタイムスロットに送信信号を分割することによって、複数のＳＴＡが同じ周波数チャネルを共有することを可能にし得、各タイムスロットは、異なるＳＴＡに割り当てられる。ＴＤＭＡシステムは、ＧＭＳまたは当技術分野において知られている何らかの他の規格を実施し得る。ＯＦＤＭＡシステムは、直交周波数分割多重化（ＯＦＤＭ）を利用し、それは、全システム帯域幅を複数の直交サブキャリアに区分化する変調技法である。これらのサブキャリアはまた、トーン、ビン等とも呼ばれ得る。ＯＦＤＭでは、各サブキャリアが、データで独立に変調され得る。ＯＦＤＭシステムは、ＩＥＥＥ８０２．１１または当技術分野において知られている何らかの他の規格を実施できる。ＳＣ−ＦＤＭＡシステムは、システム帯域幅にわたって分散されているサブキャリア上で送信するためにインターリーブされた（interleaved）ＦＤＭＡ（ＩＦＤＭＡ）、隣り合ったサブキャリアのブロック上で送信するために局所化された（localized）ＦＤＭＡ（ＬＦＤＭＡ）、または、または隣り合ったサブキャリアの複数のブロック上で送信するために拡張された（enhanced）ＦＤＭＡ（ＥＦＤＭＡ）を利用し得る。一般に、変調シンボルは、ＯＦＤＭでは周波数ドメイン中で、および、ＳＣ−ＦＤＭＡでは時間ドメイン中で送られる。ＳＣ−ＦＤＭＡシステムは、３ＧＰＰ（登録商標）−ＬＴＥ（登録商標）（第３世代パートナーシッププロジェクトのロングタームエボリューション）または他の規格を実施し得る。
【００２５】
[0040]  ここでの教示は、さまざまなワイヤードまたはワイヤレス装置（例えば、ノード）に組み込まれ得る（例えば、それらの中で実施される、またはそれらによって行われる）。いくつかの態様では、ここでの教示に従って実施されるワイヤレスノードが、アクセスポイントまたはアクセス端末を備え得る。
【００２６】
[0041]  ＡＰは、ノードＢ、無線ネットワークコントローラ（「ＲＮＣ」）、ｅノードＢ、基地局コントローラ（「ＢＳＣ」）、基地トランシーバ局（「ＢＴＳ」）、基地局（「ＢＳ」）、トランシーバ機能（「ＴＦ」）、無線ルータ、無線トランシーバ、ベーシックサービスセット（「ＢＳＳ」）、拡張サービスセット（「ＥＳＳ」）、無線基地局（「ＲＢＳ」）、または何らかの他の専門用語を備え得、これらとして実施され得、または、これらとして知られ得る。
【００２７】
[0042]  ＳＴＡはまた、ユーザ端末、アクセス端末（「ＡＴ」）、加入者局、加入者ユニット、移動局、遠隔局、遠隔端末、ユーザエージェント、ユーザデバイス、ユーザ機器、または何らかの他の専門用語を備え得、これらとして実施され得、またはこれらとして知られ得る。いくつかの実施形態において、アクセス端末は、セルラ電話、コードレス電話、セッション開始プロトコル（「ＳＩＰ」）電話、無線ローカルループ（「ＷＬＬ」）局、携帯情報端末（「ＰＤＡ」）、無線接続能力を有するハンドヘルドデバイス、またはワイヤレスモデムに接続された何らかの他の適切な処理デバイスを備え得る。従って、ここで教示される１つまたは複数の態様は、電話（例えば、セルラ電話またはスマートフォン）、コンピュータ（例えば、ラップトップ）、ポータブル通信デバイス、ヘッドセット、ポータブルコンピューティングデバイス（例えば、携帯情報端末）、エンターテインメントデバイス（例えば、音楽またはビデオデバイス、または衛星ラジオ）、ゲームデバイスまたはシステム、全地球測位システムデバイス、またはワイヤレス媒体を介して通信するように構成されたその他任意の適切なデバイス中に組み込まれ得る。
【００２８】
[0043]  図１は、複数のＡＰおよびＳＴＡを有する多元接続多入力多出力（ＭＩＭＯ）システム１００を例示する図である。簡潔さのために、１つのＡＰ１１０のみが図１で図示される。上記に説明されるように、ＡＰ１１０は、一般に、ＳＴＡ１２０ａ〜Ｉ（また、集合的に「ＳＴＡ１２０」として、または、個別に「ＳＴＡ１２０」としてもここで呼ばれる）と通信する固定ＳＴＡであり、また基地局としても呼ばれ得るか、または何らかの他の専門用語を使用して呼ばれ得る。上記にもまた説明されるように、ＳＴＡ１２０は、固定または移動式であり得、また、ユーザ端末、移動局、ワイヤレスデバイス、または何らかの他の専門用語を使用しても呼ばれ得る。ＡＰ１１０は、ダウンリンクおよびアップリンク上で、任意の所与の瞬間に１つまたは複数のＳＴＡ１２０と通信し得る。ダウンリンク（すなわち、順方向リンク）は、ＡＰ１１０からＳＴＡ１２０への通信リンクであり、アップリンク（すなわち、逆方向リンク）は、ＳＴＡ１２０からＡＰ１１０への通信リンクである。ＳＴＡ１２０はまた、別のＳＴＡ１２０とピアツーピアで通信し得る。システムコントローラ１３０は、ＡＰに結合し、ＡＰに対して協調（coordination）および制御を提供する。
【００２９】
[0044]  以下の開示の一部が空間分割多元接続（ＳＤＭＡ）を介して通信する能力があるＳＴＡ１２０を説明することになる一方で、ある特定の態様に関して、ＳＴＡ１２０はまた、ＳＤＭＡをサポートしないいくつかのＳＴＡを含み得る。従って、このような態様に関し、ＡＰ１１０は、ＳＤＭＡ  ＳＴＡと非ＳＤＭＡ  ＳＴＡの両方と通信するように構成され得る。このアプローチは、都合よく、ＳＤＭＡをサポートしないより古いバージョンのＳＴＡ（例えば、「レガシ」ＳＴＡ）が企業で展開され続けることを可能にし得、それらの耐用年数を延ばし、一方で、適切であると判断される場合、より新しいＳＤＭＡ  ＳＴＡ１２０が、導入されることを可能にする。
【００３０】
[0045]  システム１００は、ダウンリンクおよびアップリンク上でのデータ送信のために、複数の送信アンテナおよび複数の受信アンテナを用いる。ＡＰ１１０には、Ｎａｐ本のアンテナが装備され、ダウンリンク送信のための多入力（ＭＩ）、およびアップリンク送信のための多出力（ＭＯ）を表す。Ｋ個の選択されたＳＴＡ１２０のセットは、集合的に、ダウンリンク送信のための多出力、およびアップリンク送信のための多入力を表す。純粋なＳＤＭＡの場合、Ｋ個のＳＴＡのためのデータシンボルストリームが、何らかの手段によってコード、周波数、または時間において多重化されていない場合、Ｎａｐ≦Ｋ≦１であることが望ましい。ＴＤＭＡ技法、ＣＤＭＡを用いた異なるコードチャネル、ＯＦＤＭを用いたサブバンドの互いに素な（disjoint）セット、などを使用して、データシンボルストリームが多重化され得る場合に、Ｋは、Ｎａｐよりも大きくなり得る。各選択されたＳＴＡは、ＡＰにユーザ固有のデータを送信し得、および／またはＡＰからユーザ固有のデータを受信し得る。一般に、各選択されたＳＴＡは、１つまたは複数のアンテナ（すなわち、Ｎｕｔ≧１）を装備し得る。Ｋ個の選択されたＳＴＡは、同じ数のアンテナを有し得たり、または１つまたは複数のＳＴＡは異なる数のアンテナを有し得る。
【００３１】
[0046]  ＳＤＭＡシステム１００は、時分割複信（ＴＤＤ）システムまたは周波数分割複信（ＦＤＤ）システムであり得る。ＴＤＤシステムに関し、ダウンリンクおよびアップリンクは、同じ周波数帯域を共有する。ＦＤＤシステムの場合、ダウンリンクおよびアップリンクは、異なる周波数帯域を使用する。ＭＩＭＯシステム１００はまた、送信のために、単一のキャリアまたは複数のキャリアを利用し得る。各ＳＴＡは、（例えば、コストを低く抑えるために）単一のアンテナを、または（例えば、追加のコストがサポートされ得る場合）複数のアンテナを、装備され得る。ＳＴＡ１２０が、送信／受信を異なるタイムスロットに分割することによって、同じ周波数チャネルを共有する場合、システム１００はまた、ＴＤＭＡシステムであり得、ここで、各タイムスロットは、異なるＳＴＡ１２０に割り当てられ得る。
【００３２】
[0047]  図２は、ＭＩＭＯシステム１００における、ＡＰ１１０、並びに２つのＳＴＡ１２０ｍおよび１２０ｘのブロック図を例示する。ＡＰ１１０には、Ｎｔ本のアンテナ２２４ａから２２４ａｐが装備されている。ＳＴＡ１２０ｍには、Ｎｕｔ，ｍ本のアンテナ２５２ｍａから２５２ｍｕが装備されており、ＳＴＡ１２０ｘには、Ｎｕｔ，ｘ本のアンテナ２５２ｘａから２５２ｘｕが装備されている。ＡＰ１１０は、ダウンリンクについては送信エンティティであり、アップリンクについては受信エンティティである。ＳＴＡ１２０は、アップリンクについては送信エンティティであり、ダウンリンクについては受信エンティティである。ここで使用される場合、「送信エンティティ」は、ワイヤレスチャネルを介してデータを送信する能力がある、独立に動作される装置またはデバイスであり、「受信エンティティ」は、ワイヤレスチャネルを介してデータを受信する能力がある、独立に動作される装置またはデバイスである。以下の説明において、添字「ｄｎ」はダウンリンクを指し、添字「ｕｐ」はアップリンクを指し、Ｎｕｐ個のＳＴＡはアップリンク上での同時送信のために選択され、Ｎｄｎ個のＳＴＡはダウンリンク上での同時送信のために選択される。Ｎｕｐは、Ｎｄｎに等しいかまたは等しくない可能性があり、ＮｕｐおよびＮｄｎは静的値（static values）であるかまたは各スケジューリング間隔ごとに変化し得る。ビームステアリングまたは何らかの他の空間処理技法は、ＡＰ１１０および／またはＳＴＡ１２０で使用され得る。
【００３３】
[0048]  アップリンク上では、アップリンク送信のために選択された各ＳＴＡ１２０において、ＴＸデータプロセッサ２８８が、データソース２８６からトラフィックデータを、コントローラ２８０から制御データを受信する。ＴＸデータプロセッサ２８８は、そのＳＴＡのために選択されたレートに関連付けられた符号化および変調スキームに基づいて、そのＳＴＡのためのトラフィックデータを処理（例えば、符号化、インターリーブ、および変調）し、データシンボルストリームを提供する。ＴＸ空間プロセッサ２９０は、データシンボルストリームに対して空間処理を行い、Ｎｕｔ，ｍ個のアンテナにＮｕｔ，ｍ個の送信シンボルストリームを提供する。各送信機ユニット（ＴＭＴＲ）２５４は、アップリンク信号を生成するために、それぞれの送信シンボルストリームを受信して、処理する（例えば、アナログに変換する、増幅する、フィルタリングする、および周波数アップコンバートする）。Ｎｕｔ，ｍ個の送信機ユニット２５４は、例えば、ＡＰ１１０に送信するために、Ｎｕｔ，ｍ本のアンテナ２５２からの送信のためのＮｕｔ，ｍ個のアップリンク信号を提供する。
【００３４】
[0049]  Ｎｕｐ個のＳＴＡが、アップリンク上での同時送信のためにスケジューリングされ得る。これらのＳＴＡ１２０の各々は、それのそれぞれのデータシンボルストリーム上で空間処理を行い得、ＡＰ１１０にアップリンク上で送信シンボルストリームのそれのそれぞれのセットを送信する。
【００３５】
[0050]  ＡＰ１１０において、Ｎａｐ本のアンテナ２２４ａから２２４ａｐは、アップリンク上で送信する全てのＮｕｐ個のＳＴＡからアップリンク信号を受信する。各アンテナ２２４は、それぞれの受信機ユニット（ＲＣＶＲ）２２２に受信された信号を提供する。各受信機ユニット２２２は、送信機ユニット２５４によって行われたものに対して相補的な処理を行い、受信されたシンボルストリームを提供する。ＲＸ空間プロセッサ２４０は、Ｎｕｐ個の受信機ユニット２２２からのＮｕｐ個の受信されたシンボルストリームに対して受信機空間処理を行い、Ｎｕｐ個の復元されたアップリンクデータシンボルストリームを提供する。チャネル相関マトリクス逆変換（ＣＣＭＩ）、最小平均二乗誤差（ＭＭＳＥ）、ソフト干渉消去（ＳＩＣ）、または、何らかの他の技法に従って、受信機空間処理が行われ得る。各復元されたアップリンクデータシンボルストリームは、それぞれのＳＴＡによって送信されたデータシンボルストリームの推定値（estimate）である。ＲＸデータプロセッサ２４２は、復号されたデータを取得するために、そのストリームに使用されたレートに従って、各復元されたアップリンクデータシンボルストリームを処理（例えば、復調、デインターリーブ、および復号）する。各ＳＴＡのための復号されたデータは、記憶のためにデータシンク２４４に提供され得、および／または、さらなる処理のためにコントローラ２３０に提供され得る。
【００３６】
[0051]  ダウンリンク上では、ＡＰ１１０において、ＴＸデータプロセッサ２１０が、ダウンリンク送信のためにスケジューリングされたＮｄｎ個のＳＴＡのためのデータソース２０８からトラフィックデータを受信し、コントローラ２３０から制御データを受信し、場合によってはスケジューラ２３４から他のデータを受信する。様々なタイプのデータは、異なるトランスポートチャネル上で送られ得る。ＴＸデータプロセッサ２１０は、そのＳＴＡのために選択されたレートに基づいて、各ＳＴＡのためのトラフィックデータを処理（例えば、符号化、インターリーブ、および変調）する。ＴＸデータプロセッサ２１０は、Ｎｄｎ個のＳＴＡにＮｄｎ個のダウンリンクデータシンボルストリームを提供する。ＴＸ空間プロセッサ２２０は、Ｎｄｎ個のダウンリンク・シンボルストリームデータシンボルストリーム上で（プリコーディングまたはビームフォーミングのような）空間処理を行って、Ｎｕｐ個のアンテナにＮｕｐ個の送信シンボルストリームを提供する。各送信機ユニット２２２は、ダウンリンク信号を生成するために、それぞれの送信シンボルストリームを受信および処理する。Ｎｕｐ個の送信機ユニット２２２は、例えば、ＳＴＡ１２０に送信するために、Ｎｕｐ本のアンテナ２２４からの送信のためのＮｕｐ個のダウンリンク信号を提供し得る。
【００３７】
[0052]  各ＳＴＡ１２０において、Ｎｕｔ，ｍ本のアンテナ２５２は、ＡＰ１０からＮｕｐ個のダウンリンク信号を受信する。各受信機ユニット２５４は、関連のアンテナ２５２からの受信された信号を処理し、受信されたシンボルストリームを提供する。ＲＸ空間プロセッサ２６０は、Ｎｕｔ，ｍ個の受信機ユニット２５４からのＮｕｔ，ｍ個の受信されたシンボルストリームに、受信機空間処理を行って、そのＳＴＡ１２０に対して復元されたダウンリンクデータシンボルストリームを提供する。受信機空間処理は、ＣＣＭＩ、ＭＭＳＥ、または何らかの他の技法に従って行われ得る。ＲＸデータプロセッサ２７０は、ＳＴＡのための復号されたデータを取得するために、復元されたダウンリンクデータシンボルストリームを処理する（例えば、復調する、デインターリーブする、および復号する）。
【００３８】
[0053]  各ＳＴＡ１２０において、チャネル推定器２７８は、ダウンリンクチャネル応答を推定し、ダウンリンクチャネル推定値を提供し、それは、チャネル利得推定値、ＳＮＲ推定値、雑音分散、等を含み得る。同様に、チャネル推定器２２８は、アップリンクチャネル応答を推定して、アップリンクチャネル推定値を提供する。各ＳＴＡのためのコントローラ２８０は、典型的に、そのＳＴＡのためのダウンリンクチャネル応答マトリクスＨｄｎ、ｍに基づいて、ＳＴＡのための空間フィルタマトリクスを導出する。コントローラ２３０は、有効アップリンクチャネル応答マトリクスＨｕｐ，ｅｆｆに基づいて、ＡＰのための空間フィルタマトリクスを導出する。各ＳＴＡのためのコントローラ２８０は、ＡＰ１１０にフィードバック情報（例えば、ダウンリンクおよび／またはアップリンクの固有ベクトル、固有値、ＳＮＲ推定値、等）を送り得る。コントローラ２３０および２８０はまた、それぞれ、ＡＰ１１０およびＳＴＡ１２０において様々な処理ユニットの動作を制御し得る。
【００３９】
[0054]  図３は、ワイヤレス通信システム１００内で用いられ得るワイヤレスデバイス３０２において利用され得る様々なコンポーネントを例示している。ワイヤレスデバイス３０２は、ここで説明されている様々な方法を実施するように構成され得るデバイスの例である。ワイヤレスデバイス３０２は、ＡＰ１１０またはＳＴＡ１２０を実施し得る。
【００４０】
[0055]  ワイヤレスデバイス３０２は、ワイヤレスデバイス３０２の動作を制御する電子ハードウェアプロセッサ３０４を含み得る。プロセッサ３０４はまた、中央処理ユニット（ＣＰＵ）とも呼ばれ得る。読取専用メモリ（ＲＯＭ）およびランダムアクセスメモリ（ＲＡＭ）の両方を含み得る、メモリ３０６は、プロセッサ３０４に命令およびデータを提供する。メモリ３０６の一部分はまた、不揮発性ランダムアクセスメモリ（ＮＶＲＡＭ）を含み得る。プロセッサ３０４は、メモリ３０６内に記憶されているプログラム命令に基づいて、論理および演算動作を行い得る。メモリ３０６における命令は、ここで説明されている方法を実施するために実行可能であり得る。
【００４１】
[0056]  プロセッサ３０４は、１つまたは複数の電子ハードウェアプロセッサで実施される処理システムのコンポーネントを備え得るか、またはその処理システムのコンポーネントであり得る。１つまたは複数のプロセッサは、汎用マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、コントローラ、ステートマシン、ゲート論理回路、ディスクリートハードウェアコンポーネント、専用ハードウェア有限ステートマシン、または情報の他の操作または計算を行える他の任意の適切なエンティティの任意の組合せで実施され得る。
【００４２】
[0057]  処理システムはまた、ソフトウェアを記憶するための機械読取り可能媒体も含み得る。ソフトウェア、ファームウェア、ミドルウェア、マイクロコード、ハードウェア記述言語、または、その他の呼称で呼ばれるかに関わらず、ソフトウェアは、あらゆるタイプの命令を意味するように広く解釈されるものとする。命令は、（例えば、ソースコードフォーマット、バイナリコードフォーマット、実行可能コードフォーマット、またはコードのその他任意の適切なフォーマットでの）コードを含み得る。これら命令は、１つまたは複数のプロセッサによって実行されたとき、処理システムに、ここで説明される様々な機能を行わせる。
【００４３】
[0058]  ワイヤレスデバイス３０２はまた、ワイヤレスデバイス３０２と遠隔ロケーションとの間でのデータの送信および受信を可能にするための送信機３１０および受信機３１２を含み得るハウジング３０８を含むことができる。送信機３１０および受信機３１２は、トランシーバ３１４に組み合わされ得る。単一のまたは複数のトランシーバ・アンテナ３１６が、ハウジング３０８に取り付けられ得、トランシーバ３１４に電気的に結合され得る。ワイヤレスデバイス３０２はまた、複数の送信機、複数の受信機、および複数のトランシーバ（図示せず）を含み得る。
【００４４】
[0059]  ワイヤレスデバイス３０２はまた、トランシーバ３１４によって受信された信号のレベルを検出および定量化する目的で（in an effort to）使用され得る信号検出器３１８を含み得る。信号検出器３１８は、総エネルギー、シンボル毎のサブキャリアあたりのエネルギー、電力スペクトル密度、および他の信号のような信号を検出し得る。ワイヤレスデバイス３０２はまた、信号を処理する際の使用のためのデジタルシグナルプロセッサ（ＤＳＰ）３２０も含み得る。
【００４５】
[0060]  ワイヤレスデバイス３０２の様々なコンポーネントは、データバスに加えて、電力バス、制御信号バス、およびステータス信号バスを含み得る、バスシステム３２２により、共に結合され得る。
【００４６】
[0061]  本開示のある特定の態様は、ＡＰに複数のＳＴＡからアップリンク（ＵＬ）信号を送信することをサポートする。いくつかの具体例において、ＵＬ信号は、マルチユーザＭＩＭＯ（ＭＵ−ＭＩＭＯ）システムにおいて送信され得る。代替的に、ＵＬ信号は、マルチユーザＦＤＭＡ（ＭＵ−ＦＤＭＡ）または同様のＦＤＭＡシステムにおいて送信され得る。具体的には、図４〜８、および１０は、ＵＬ−ＦＤＭＡ送信に等しく適用されるＵＬ−ＭＵ−ＭＩＭＯ送信４１０Ａ、４１０Ｂ、１０５０Ａ、および１０５０Ｂを例示する。これらの具体例において、ＵＬ−ＭＵ−ＭＩＭＯ送信またはＵＬ−ＦＤＭＡ送信は、ＡＰに複数のＳＴＡから同時に送られることができ、ワイヤレス通信における効率性を作り出し得る。
【００４７】
[0062]  ますます増加する数のワイヤレスおよびモバイルデバイスは、ワイヤレス通信システムに求められる帯域要件にますます増加するストレスを置く。通信リソースが制限されているので、そのＡＰと複数のＳＴＡとの間を通過するトラフィックの量を減らすことが望ましい。例えば、複数の端末がＡＰにアップリンク通信を送るとき、全ての送信のアップリンクを完了するために、トラフィックの量を最小限にすることが望ましい。このように、ここにおいて説明される具体例は、ＡＰへのアップリンク送信のスループットを増加させるためにある特定のフレーム、スケジューリング、および通信交換を利用することをサポートする。
【００４８】
[0063]  図４Ａは、ＵＬ通信のために使用され得るＵＬ−ＭＵ−ＭＩＭＯプロトコル４００の例を例示する時間系列図である。図４Ａにおいて示されるように、図１と併せて、ＡＰ１１０は、特定のＳＴＡがＵＬ−ＭＵ−ＭＩＭＯをスタートすることを知るように、どのＳＴＡがＵＬ−ＭＵ−ＭＩＭＯ方式に参加し得るかを示すＳＴＡ１２０にクリアツートランスミット（ＣＴＸ）メッセージ４０２を送信し得る。いくつかの具体例において、ＣＴＸメッセージは、物理レイヤのコンバージェンスプロトコル（ＰＬＣＰ）プロトコルデータユニット（ＰＰＤＵ）のペイロード部分において、送信され得る。ＣＴＸフレーム構造の例は、図１２〜１５を参照して以下により十分に説明される。
【００４９】
[0064]  一旦、ＳＴＡ１２０が、ＳＴＡが列挙されたＡＰ１１０からＣＴＸメッセージ４０２を受信すると、ＳＴＡは、ＵＬ−ＭＵ−ＭＩＭＯ送信４１０を送信し得る。図４Ａにおいて、ＳＴＡ１２０ＡおよびＳＴＡ１２０Ｂは、物理レイヤのコンバージェンスプロトコル（ＰＬＣＰ）プロトコルデータユニット（ＰＰＤＵ）を含むＵＬ−ＭＵ−ＭＩＭＯ送信４１０Ａおよび４１０Ｂを送信する。ＵＬ−ＭＵ−ＭＩＭＯ送信４１０を受信する際に、ＡＰ１１０は、ＳＴＡ１２０にブロック肯定応答（ＢＡ：block acknowledgments）４７０を送信し得る。
【００５０】
[0065]  図４Ｂは、ＵＬ通信のために使用され得るＵＬ−ＭＵ−ＭＩＭＯプロトコルの例を例示する時間系列図である。図４Ｂにおいて、ＣＴＸフレームは、集約された（aggregated）ＭＡＣプロトコルデータユニット（Ａ−ＭＰＤＵ）メッセージ４０７において集約される。Ａ−ＭＰＤＵメッセージ４０７は、ＵＬ信号を送信する前に処理するための時間をＳＴＡ１２０に提供し得るか、またはアップリンクデータを受信する前にＡＰ１１０がＳＴＡ１２０にデータを送ることを可能にし得る。
【００５１】
[0066]  ＡＰまたはＳＴＡ１２０の全てが、ＵＬ−ＭＵ−ＭＩＭＯまたはＵＬ−ＦＤＭＡ動作をサポートし得るわけではない。ＳＴＡ１２０からの能力（capability）インジケーションは、アソシエーション要求またはプローブ要求に含まれる高性能ワイヤレス（ＨＥＷ）能力要素において示され得、能力を示すビット、ＳＴＡ１２０がＵＬ−ＭＵ−ＭＩＭＯ送信において使用できる空間ストリームの最大数、ＵＬ−ＦＤＭＡ送信においてＳＴＡ１２０が使用できる周波数、電力バックオフにおける最小および最大電力および粒度、およびＳＴＡ１２０が行える最小および最大時間調整を含み得る。
【００５２】
[0067]  ＡＰからの能力インジケーションは、アソシエーション応答に含まれるＨＥＷ能力要素、ビーコンまたはプローブ応答において示され得、能力を示すビット、シングルＳＴＡ１２０がＵＬ−ＭＵ−ＭＩＭＯ送信において使用できる空間ストリームの最大数、単一のＳＴＡ１２０がＵＬ−ＦＤＭＡ送信において使用できる周波数、必要とされる（required）電力制御粒度、およびＳＴＡ１２０が行い得るはずである所要の最小および最大時間調整を含み得る。
【００５３】
[0068]  １つの具体例において、能力のあるＳＴＡ１２０は、ＵＬ−ＭＵ−ＭＩＭＯの特徴の使用することの使用可能性（enablement）の要求を示すＡＰに管理フレームを送ることによって、能力のあるＡＰにＵＬ−ＭＵ−ＭＩＭＯ（またはＵＬ−ＦＤＭＡ）プロトコルの部分であることを要求し得る。１つの態様において、ＡＰ１１０は、ＵＬ−ＭＵ−ＭＩＭＯ特徴の使用を承諾することまたはそれを否定することによって応答し得る。一旦、ＵＬ−ＭＵ−ＭＩＭＯの使用が承諾されると、ＳＴＡ１２０は、様々な時間において、ＣＴＸメッセージ４０２を期待し得る。追加的に、一旦ＳＴＡ１２０がＵＬ−ＭＵ−ＭＩＭＯ特徴を動作することが可能にされると、ＳＴＡ１２０は、ある特定の動作モードへの追随を条件とし（subject to follow）得る。複数の動作モードが可能である場合、ＡＰは、ＨＥＷ能力要素、管理フレーム、または動作要素においてどのモードを使用するかをＳＴＡ１２０に示し得る。１つの態様において、ＳＴＡ１２０は、ＡＰ１１０に異なる動作要素を送ることによって、動作の間、動作モードおよびパラメータを動的に変更できる。別の態様において、ＡＰ１１０は、ビーコンにおいて、またはＳＴＡ１２０に更新された動作要素または管理フレームを送ることによって、動作の間、動作を動的に切り替え得る。別の態様において、動作モードは、セットアップ（setup）段階において示され得、ＳＴＡ１２０ごとに、またはＳＴＡ１２０の一グループに対してセットアップされ得る。別の態様において、動作モードは、トラフィック識別子（ＴＩＤ）ごとに特定され得る。
【００５４】
[0069]  図５は、図１と併せて、ＵＬ−ＭＵ−ＭＩＭＯ送信の動作モードの例を例示する時間系列図である。この具体例において、ＳＴＡ１２０は、ＡＰ１１０からＣＴＸメッセージ４０２を受信し、ＡＰ１１０に即時の応答を送る。応答は、送信可（ＣＴＳ：clear to send）４０８または別の同様な信号の形式であり得る。１つの態様において、ＣＴＳを送るための要件は、ＣＴＸメッセージ４０２において示され得るか、または通信のセットアップ段階において示され得る。図５において示されるように、ＳＴＡ１２０ＡおよびＳＴＡ１２０Ｂは、ＣＴＸメッセージ４０２を受信することに応答して、ＣＴＳ  １  ４０８ＡおよびＣＴＳ  ２  ４０８Ｂメッセージを送信し得る。ＣＴＳ  １  ４０８ＡおよびＣＴＳ  ２  ４０８Ｂの変調および符号化方式（ＭＣＳ）は、ＣＴＸメッセージ４０２のＭＣＳに基づき得る。この具体例において、ＣＴＳ  １  ４０８ＡおよびＣＴＳ  ２  ４０８Ｂは、それらが同じ時間にＡＰ１１０に送信され得るように、同じビットおよび同じスクランブリング系列を含む。ＣＴＳ４０８信号の持続時間フィールドは、ＣＴＸ  ＰＰＤＵのための時間を取り除くことによって、ＣＴＸにおける持続時間フィールドに基づき得る。ＵＬ−ＭＵ−ＭＩＭＯ送信４１０Ａおよび４１０Ｂは、次いで、ＣＴＸ４０２信号において列挙されるように、ＳＴＡ１２０Ａおよび１２０Ｂによって送られ得る。ＡＰ１１０は、次いで、ＳＴＡ１２０Ａおよび１２０Ｂ、肯定応答（ＡＣＫ）信号を送り得る。いくつかの態様において、ＡＣＫ信号は、複数のＢＡまたは各局への連続のＡＣＫ信号であり得る。いくつかの態様において、ＡＣＫは、ポーリングされ得る。この具体例は、連続的にの代わりに、ＡＰ１１０に複数のＳＴＡからＣＴＳ４０８信号を同時に送信することによって、効率性を作り出し、それは、時間を節約し、干渉の可能性を減らす。
【００５５】
[0070]  図６は、図１と併せて、ＵＬ−ＭＵ−ＭＩＭＯ送信の動作モードの別の例を例示する時間系列図である。この具体例において、ＳＴＡ１２０Ａおよび１２０Ｂは、ＡＰ１１０からＣＴＸメッセージ４０２を受信し、ＣＴＸメッセージ４０２を搬送するＰＰＤＵの終わりから時間（Ｔ）４０６後にＵＬ−ＭＵ−ＭＩＭＯ送信をスタートすることが可能にされる。Ｔ４０６は、ＣＴＸメッセージ４０２におけるＡＰ１１０によってまたは管理フレームを介して示されるような、追加のオフセットで潜在的に調整された短いインターフレーム空間（ＳＩＦＳ）、ポイントインターフレーム空間（ＰＩＦＳ）、または別の時間であり得る。ＳＩＦＳおよびＰＩＦＳ時間は、ＣＴＸメッセージ４０２において、または管理フレームにおいてＡＰ１１０によって示され得るか、基準に固定化され得るか。Ｔ４０６の利点は、送信の前にＳＴＡ１２０Ａおよび１２０ＢにＣＴＸメッセージ４０２または他のメッセージを処理するための時間を許可することまたは同期を改善することであり得る。
【００５６】
[0071]  図４〜６を参照すると、図１と併せて、ＵＬ−ＭＵ−ＭＩＭＯ送信４１０は、共通の持続時間を有し得る。ＵＬ−ＭＵ−ＭＩＭＯ特徴を利用するＳＴＡに関するＵＬ−ＭＵ−ＭＩＭＯ送信４１０の持続時間は、ＣＴＸメッセージ４０２において、または、セットアップ段階の間、示され得る。必要とされる持続時間のＰＰＤＵを生成するために、ＳＴＡ１２０は、ＰＰＤＵの長さがＣＴＸメッセージ４０２における示された長さにマッチ（matches）させるように、ＰＬＣＰサービスデータユニット（ＰＳＤＵ）を組み立て得る。別の態様において、ＳＴＡ１２０は、ターゲットの長さに接近するために、媒体アクセス制御（ＭＡＣ）プロトコルデータユニット（Ａ−ＭＰＤＵ）におけるデータ集約のレベルまたはＭＡＣサービスデータユニット（Ａ−ＭＳＤＵ）におけるデータ集約のレベルを調整し得る。別の態様において、ＳＴＡ１２０は、ターゲットの長さに到達するためにファイルの終わり（ＥＯＦ：end of file）パディングデリミタを追加し得る。別のアプローチにおいて、パディングまたはＥＯＦパッドフィールドは、Ａ−ＭＰＤＵの始まりにおいて、追加される。全てのＵＬ−ＭＵ−ＭＩＭＯ送信を同じ長さにしておくことの利点のうちの１つは、送信の電力レベルが、一定のままになることである。
【００５７】
[0072]  いくつかの具体例において、ＳＴＡ１２０は、ＡＰにアップロードするデータを有し得るが、ＳＴＡ１２０は、ＣＴＸメッセージ４０２またはＳＴＡ１２０がＵＬ−ＭＵ−ＭＩＭＯ送信をスタートし得ることを示す他の信号を受信していない。
【００５８】
[0073]  １つの動作モードにおいて、ＳＴＡ１２０は、（例えば、ＣＴＸメッセージ４０２の後の）ＵＬ−ＭＵ−ＭＩＭＯ送信機会（ＴＸＯＰ）以外では送信しない場合がある。別の動作モードにおいて、ＳＴＡ１２０は、ＵＬ−ＭＵ−ＭＩＭＯ送信を初期化するために、フレームを送信し得、次いで、例えば、それらが、ＣＴＸメッセージ４０２においてそうするように指示された場合、ＵＬ−ＭＵ−ＭＩＭＯ  ＴＸＯＰの間、送信し得る。１つの具体例において、ＵＬ−ＭＵ−ＭＩＭＯ送信を初期化するためのフレームは、リクエストツートランスミット（ＲＴＸ）、この目的のために特に設計されたフレームであり得る（ＲＴＸフレーム構造の例が図８および９を参照して以下により十分に説明される）。ＲＴＸフレームは、ＳＴＡ１２０がＵＬ  ＭＵ  ＭＩＭＯ  ＴＸＯＰを開始するために使用されることが許可されるただ唯一のフレームであり得る。１つの具体例において、ＳＴＡは、ＲＴＸを送ることによる他に、ＵＬ−ＭＵ−ＭＩＭＯ  ＴＸＯＰ以外では送信しない可能性がある。別の具体例において、ＵＬ  ＭＵ  ＭＩＭＯ送信を初期化するためのフレームは、ＡＰ１１０に、ＳＴＡ１２０が送るためのデータを有することを示すあらゆるフレームであり得る。これらのフレームがＵＬ  ＭＵ  ＭＩＭＯ  ＴＸＯＰ要求を示すことは事前に交渉され得る。例えば、ＳＴＡ１２０が送るためのデータを有すること、およびＵＬ  ＭＵ  ＭＩＭＯ  ＴＸＯＰを要求していること示すために、以下、送信要求（ＲＴＳ：request-to-send）、より多くのデータを示すために設定されたＱｏＳ制御フレームのビット８〜１５を有するサービス品質（ＱｏＳ）ヌルフレームまたはデータフレーム、または電力節約（ＰＳ）ポール、が使用され得る。１つの具体例において、ＳＴＡは、このＴＸＯＰをトリガするためのフレームを送ることによる以外に、ＵＬ  ＭＵ  ＭＩＭＯ  ＴＸＯＰ外で、送信しないことがあり、ここで、このフレームは、ＲＴＳ、ＰＳポール、またはＱＯＳヌルであり得る。別の具体例において、ＳＴＡは、通常通り、シングルユーザアップリンクデータを送り得、それのデータパケットのＱｏＳ制御フレームにおいてビットを設定することによってＵＬ  ＭＵ  ＭＩＭＯ  ＴＸＯＰの要求を示し得る。図７は、図１と併せて、ＵＬ−ＭＵ−ＭＩＭＯを初期化するためのフレームがＲＴＸ７０１である例を例示する、時間系列図である。この具体例において、ＳＴＡ１２０は、ＡＰ１１０にＵＬ−ＭＵ−ＭＩＭＯ送信に関する情報を含むＲＴＸ７０１を送る。図７において示されるように、ＡＰ１１０は、ＣＴＸメッセージ４０２の直後に続いてＵＬ−ＭＵ−ＭＩＭＯ送信４１０を送るために、ＵＬ−ＭＵ−ＭＩＭＯ  ＴＸＯＰを承諾するＣＴＸメッセージ４０２で、ＲＴＸ７０１に応答し得る。別の態様において、ＡＰ１１０は、シングルユーザ（ＳＵ）ＵＬ  ＴＸＯＰを承諾するＣＴＳで応答し得る。別の態様において、ＡＰ１１０は、ＲＴＸ７０１の受領（reception）を認める（acknowledges）が、即座の（immediate）ＵＬ−ＭＵ−ＭＩＭＯ  ＴＸＯＰを承諾しないフレーム（例えば、特別なインジケーションを有するＡＣＫまたはＣＴＸ）で、応答し得る。別の態様において、ＡＰ１１０は、ＲＴＸ７０１の受領を認め、即座のＵ��−ＭＵ−ＭＩＭＯ  ＴＸＯＰを承諾しないが、遅延型のＵＬ−ＭＵ−ＭＩＭＯ  ＴＸＯＰを承諾するフレームで、応答し得、ＴＸＯＰが承諾された時間を識別し得る。この具体例において、ＡＰ１１０は、承諾された時間でＵＬ−ＭＵ−ＭＩＭＯをスタートするために、ＣＴＸメッセージ４０２を送り得る。
【００５９】
[0074]  別の態様において、ＡＰ１１０は、ＲＴＸ７０１に、ＳＴＡ１２０にＵＬ−ＭＵ−ＭＩＭＯ送信を承諾しないが、ＳＴＡ１２０が、別の送信（例えば、別のＲＴＸを送ること）を試みる前の時間（Ｔ）の間待つことを示すＡＣＫまたは他の応答信号で、応答し得る。この態様において、時間（Ｔ）は、セットアップ段階または応答信号においてＡＰ１１０によって示され得る。別の具体例において、ＡＰ１１０およびＳＴＡ１２０は、ＳＴＡ１２０が、ＲＴＸ７０１、ＲＴＳ、ＰＳ−ポール、またはＵＬ−ＭＵ−ＭＩＭＯ  ＴＸＯＰに関して他のあらゆる要求を送信し得る時間について同意し得る。
【００６０】
[0075]  別の動作モードにおいて、ＳＴＡ１２０は、正規の競合プロトコルに従って、ＵＬ−ＭＵ−ＭＩＭＯ送信４１０の要求を送信し得る。別の態様において、ＵＬ−ＭＵ−ＭＩＭＯを使用するＳＴＡ１２０に関する競合パラメータは、ＵＬ−ＭＵ−ＭＩＭＯ特徴を使用していない他のＳＴＡに対してとは異なる値に設定される。この具体例において、ＡＰ１１０は、ビーコン、アソシエーション応答において、または管理フレームを通じて、競合パラメータ（contention parameters）の値を示し得る。別の態様において、ＡＰ１１０は、ＳＴＡ１２０が、各成功したＵＬ−ＭＵ−ＭＩＭＯ  ＴＸＯＰの後の、または各ＲＴＸ、ＲＴＳ、ＰＳ−ポール、またはＱｏＳヌルフレームの後のある特定の量の時間のあいだ、送信するのを阻止する遅延タイマを提供し得る。タイマは、各成功したＵＬ−ＭＵ−ＭＩＭＯ  ＴＸＯＰの後に再スタートされ得る。１つの態様において、ＡＰ１１０は、セットアップ段階において、ＳＴＡ１２０に遅延タイマを示し得るか、または、遅延タイマは、各ＳＴＡ１２０によって異なり得る。別の態様において、ＡＰ１１０は、ＣＴＸメッセージ４０２において遅延タイマを示し得るか、遅延タイマは、ＣＴＸメッセージ４０２におけるＳＴＡ１２０の順序に依存し得、各端末ごとによって異なり得る。
【００６１】
[0076]  別の動作モードにおいて、ＡＰ１１０は、ＳＴＡ１２０が、ＵＬ−ＭＵ−ＭＩＭＯ送信を送信することを許可される、時間間隔を示し得る。１つの態様において、ＡＰ１１０は、ＳＴＡ１２０に、ＳＴＡが、ＲＴＸまたはＲＴＳ、またはＵＬ−ＭＵ−ＭＩＭＯ送信を要するためにＡＰ１１０に他の要求に送ることを許可される、時間間隔を示す。この態様において、ＳＴＡ１２０は、正規（regular）競合プロトコルを使用し得る。別の態様において、ＳＴＡは、その時間間隔の間に、ＵＬ−ＭＵ−ＭＩＭＯ送信を開始しない可能性があるが、ＡＰ１１０は、ＵＬ−ＭＵ−ＭＩＭＯ送信を開始するためにＳＴＡにＣＴＸまたは他のメッセージを送り得る。
【００６２】
[0077]  ある特定の具体例において、ＵＬ−ＭＵ−ＭＩＭＯのためにイネーブルされたＳＴＡ１２０は、ＡＰ１１０に、それはＵＬに対して保留中（pending）であるデータを有するから、それがＵＬ−ＭＵ−ＭＩＭＯ  ＴＸＯＰを要求することを示し得る。１つの態様において、ＳＴＡ１２０は、ＵＬ−ＭＵ−ＭＩＭＯ  ＴＸＯＰを要求するためにＲＴＳまたはＰＳ−ポールを送り得る。別の具体例において、ＳＴＡ１２０は、サービス品質（ＱｏＳ）ヌルデータフレームを含め、あらゆるデータフレームを送り得、ここでＱｏＳ制御フィールドのビット８〜１５は、非空キュー（non-empty queue）を示す。この具体例において、ＳＴＡ１２０は、セットアップ段階の間、ＱｏＳ制御フィールドのビット８〜１５が、非空キューを示すとき、どのデータフレーム（例えば、ＲＴＳ、ＰＳ−ポール、ＱｏＳヌル、等）が、ＵＬ−ＭＵ−ＭＩＭＯ送信をトリガするかを決定し得る。１つの具体例において、ＲＴＳ、ＰＳ−ポール、またはＱｏＳヌルフレームは、ＡＰ１１０がＣＴＸメッセージ４０２に応答することを許可または不許可にする１ビットのインジケーションを含み得る。別の具体例において、ＱｏＳヌルフレームは、ＴＸ電力情報およびＴＩＤごとのキュー情報を含み得る。ＴＸ電力情報およびＴＩＤごとのキュー情報は、シーケンス制御の２つのバイトに挿入され得、ＱｏＳヌルフレームおよび修正されたＱｏＳヌルフレームにおけるＱｏＳ制御フィールドは、ＵＬ−ＭＵ−ＭＩＭＯ  ＴＸＯＰを要求するために、ＡＰ１１０に送られ得る。別の具体例において、図１および７を参照すると、ＳＴＡ１２０は、ＵＬ−ＭＵ−ＭＩＭＯ  ＴＸＯＰを要求するためのＲＴＸ７０１を送り得る。
【００６３】
[0078]  ＲＴＳ、ＲＴＸ、ＰＳ−ポールまたはＱｏＳヌルフレーム、あるいは、上記で説明される他のトリガフレームを受信することに応答して、ＡＰ１１０は、ＣＴＸメッセージ４０２を送り得る。１つの具体例において、図７を参照すると、ＣＴＸメッセージ４０２の送信の後に、およびＵＬ−ＭＵ−ＭＩＭＯ送信４１０Ａおよび４１０Ｂの完了の後に、ＴＸＯＰは、残りのＴＸＯＰの使用の仕方について決定できるＳＴＡ１２０Ａおよび１２０Ｂに戻る。別の具体例において、図７を参照して、ＣＴＸメッセージ４０２の送信並びにＵＬ−ＭＵ−ＭＩＭＯ送信４１０Ａおよび４１０Ｂの完了の後に、ＴＸＯＰは、ＡＰ１１０と共に残り、およびＡＰ１１０は、ＳＴＡ１２０Ａおよび１２０Ｂのいずれかに、または他のＳＴＡに、別のＣＴＸメッセージ４０２を送ることによって、追加のＵＬ−ＭＵ−ＭＩＭＯ送信のために残っているＴＸＯＰを使用し得る。
【００６４】
[0079]  図８は、マルチユーザアップリンク通信の１つの具体例のメッセージタイミング図である。メッセージ交換８００は、ＡＰ１１０と３つの局１２０ａ〜ｃとの間のワイヤレスメッセージの通信を示す。メッセージ交換８００は、ＳＴＡ１２０ａ〜ｃの各々が、ＡＰ１１０にリクエストツートランスミット（ＲＴＸ）メッセージ８０２ａ〜ｃを送信することを示す。ＲＴＸメッセージ８０２ａ〜ｃの各々は、送信局１２０ａ〜ｃが、ＡＰ１１０に送信されることが利用可能であるデータを有することを示す。
【００６５】
[0080]  ＲＴＸメッセージ８０２ａ〜ｃの各々を受信した後で、ＡＰ１１０は、ＡＰ１１０がＲＴＸを受信したことを示すメッセージで応答し得る。図８において示されるように、ＡＰ１１０は、各ＲＴＸメッセージ８０２ａ〜ｃに応答して、ＡＣＫメッセージ８０３ａ〜ｃを送信する。いくつかの具体例において、ＲＴＸメッセージ８０２ａ〜ｃの各々が受信されていたがＡＰ１１０は局１２０ａ〜ｃに対してのデータをアップリンクするための送信機会を承諾されていなかったことを示すメッセージ（例えば、ＣＴＸメッセージ）を、ＡＰ１１０は、送り得る。図８において、ＡＣＫメッセージ８０３ｃを送った後に、ＡＰ１１０は、ＣＴＸメッセージ８０４を送信する。いくつかの態様において、ＣＴＸメッセージ８０４は、少なくとも局ＳＴＡ１２０ａ〜ｃに送信される。いくつかの態様において、ＣＴＸメッセージ８０４は、ブロードキャストされる。いくつかの態様において、ＣＴＸメッセージ８０４は、どの局が、送信機会の間、ＡＰ１１０にデータを送信するための許可を承諾されるかを示す。送信機会のスタート時間およびそれの持続時間は、いくつかの態様におけるＣＴＸメッセージ８０４において示され得る。例えば、ＣＴＸメッセージ８０４は、局ＳＴＡ１２０ａ〜ｃがそれらのネットワーク割り振りベクトルをネットワーク割り振りベクトル（ＮＡＶ）８１２と一致するように設定するべきであることを示し得る。
【００６６】
[0081]  ＣＴＸメッセージ８０４によって示される時間において、３つの局１２０ａ〜ｃは、ＡＰ１１０にデータ８０６ａ〜ｃを送信する。データ８０６ａ〜ｃは、送信機会の間、少なくとも部分的にコンカレントに送信される。データ８０６ａ〜ｃの送信は、アップリンクマルチユーザ多入力、多出力送信（ＵＬ−ＭＵ−ＭＩＭＯ）またはアップリンク周波数分割多元接続（ＵＬ−ＦＤＭＡ）を利用し得る。
【００６７】
[0082]  いくつかの態様において、局ＳＴＡａ〜ｃは、パッドデータを送信し得、送信機会の間、送信する各局のそのような送信は、およそ等しい持続時間である。メッセージ交換８００は、ＳＴＡ１２０ａがパッドデータ８０８ａを送信し、一方で、ＳＴＡ１２０ｃがパッドデータ８０８ｃを送信することを示す。パッドデータの送信は、ＳＴＡ１２０ａ〜ｃの各々からの送信がおよそ同じ時間に終わることを確かにする。これは、送信の全体の持続時間にわたるより均等にされた送信電力を提供し得、ＡＰ１１０受信機の効率性を最大化する。
【００６８】
[0083]  ＡＰ１１０がデータ送信８０６ａ〜ｃを受信した後に、ＡＰ１１０は、局１２０ａ〜ｃの各々に肯定応答８１０ａ〜ｃを送る。いくつかの態様において、肯定応答８１０ａ〜ｃは、ＤＬ−ＭＵ−ＭＩＭＯまたはＤＬ−ＦＤＭＡのいずれかを使用してコンカレントに少なくとも部分的に送信され得る。
【００６９】
[0084]  図９は、ＲＴＸフレーム９００の１つの具体例の図である。ＲＴＸフレーム９００は、フレーム制御（ＦＣ）フィールド９１０、持続時間フィールド９１５（随意的）、送信機アドレス（ＴＡ）／割り振り識別子（ＡＩＤ）フィールド９２０、受信機アドレス（ＲＡ）／ベーシックサービスセット識別子（ＢＳＳＩＤ）フィールド９２５、ＴＩＤフィールド９３０、推定された送信（ＴＸ）時間フィールド９５０、およびＴＸ電力フィールド９７０を含む。ＦＣフィールド９１０は、制御サブタイプまたは拡張サブタイプを示す。持続時間フィールド９１５は、ＲＴＸフレーム９００のあらゆる受信機にＮＡＶを設定することを示す。１つの態様において、ＲＴＸフレーム９００は、持続時間フィールド９１５を有さない可能性がある。ＴＡ／ＡＩＤフィールド９２０は、ＡＩＤまたは完全なＭＡＣアドレスであることができるソースアドレスを示す。ＲＡ／ＢＳＳＩＤフィールド９２５は、アップリンクデータをコンカレントに送信するために、ＳＴＡのＲＡまたはＢＳＳＩＤを示す。１つの態様において、ＲＴＸフレームは、ＲＡ／ＢＳＳＩＤフィールド９２５を含まない可能性がある。ＴＩＤフィールド９３０は、ユーザがそれについてのデータを有するアクセスカテゴリ（ＡＣ）を示す。推定されたＴＸ時間フィールド９５０は、ＵＬ−ＴＸＯＰのために要求された時間を示し、ＳＴＡ１２０が現在計画されたＭＣＳでそれのバッファにおいて全てのデータを送るために必要とされる時間であり得る。ＴＸ電力フィールド９７０は、フレームが送信されている電力を示し、ＣＴＸフレームにおいてリンク品質を推定して電力バックオフインジケーションを順応させるためにＡＰによって使用され得る。
【００７０】
[0085]  いくつかの具体例において、ＵＬ−ＭＵ−ＭＩＭＯ通信が行われることができる前に、ＡＰ１１０は、ＵＬ−ＭＵ−ＭＩＭＯ通信に参加し得るＳＴＡ１２０から情報を収集し得る。ＡＰ１１０は、ＳＴＡ１２０からの送信をスケジューリングすることによってＳＴＡ１２０からの情報の収集を最大化し得る。
【００７１】
[0086]  上記で説明されたように、ＣＴＸメッセージ４０２は、様々な通信において使用され得る。図１０は、ＣＴＸフレーム１０００構造の例の図である。この具体例において、ＣＴＸフレーム１０００は、フレーム制御（ＦＣ）フィールド１００５、持続時間フィールド１０１０、送信機アドレス（ＴＡ）フィールド１０１５、制御（ＣＴＲＬ）フィールド１０２０、ＰＰＤＵ持続時間フィールド１０２５、ＳＴＡ情報（ｉｎｆｏ）フィールド１０３０、およびフレームチェック系列（ＦＣＳ）フィールド１０８０を含む制御フレームである。ＦＣフィールド１００５は、制御サブタイプまたは拡張サブタイプを示す。持続時間フィールド１０１０は、ＣＴＸフレーム１０００のあらゆる受信機にＮＡＶを設定することを示す。ＴＡフィールド１０１５は、送信機アドレスまたはＢＳＳＩＤを示す。ＣＴＲＬフィールド１０２０は、フレームの残りの部分のフォーマットに関する情報（例えば、ＳＴＡｉｎｆｏフィールドの数およびＳＴＡｉｎｆｏフィールド内のいずれのサブフィールドの存在または不在）、ＳＴＡ１２０のためのレート適応に関するインジケーション、許可されたＴＩＤのインジケーション、およびＣＴＳがＣＴＸフレーム１０００の直後に続いて送られなければいけないというインジケーションを含み得る包括的フィールドである。レート適応に関するインジケーションは、ＳＴＡがシングルユーザ送信において使用していたＭＣＳと比較して、ＳＴＡがそれらのＭＣＳをどのくらい下げるべきかを示す数のようなデータレート情報を含み得る。ＣＴＲＬフィールド１０２０はまた、ＣＴＸフレーム１０００がＵＬ  ＭＵ  ＭＩＭＯに対して、または、ＵＬ  ＦＤＭＡに対して、あるいは両方に対して、使用されているかどうかを示し得、Ｎｓｓまたはトーン割り振りフィールドがＳＴＡ  Ｉｎｆｏフィールド１０３０において存在しているかどうかを示す。
【００７２】
[0087]  代替的に、またはＣＴＸがＵＬ  ＭＵ  ＭＩＭＯに関するか、またはＵＬ  ＦＤＭＡに関するかについてのインジケーションは、サブタイプの値に基づくことができる。ＵＬ  ＭＵ  ＭＩＭＯおよびＵＬ  ＦＤＭＡ動作が、ＳＴＡに使用される空間ストリームと使用されるチャネルとの両方を特定することによって、共同で行われ、その事例において、両方のフィールドは、ＣＴＸに存在しており、この事例において、Ｎｓｓインジケーションは、特定のトーン割り振りと呼ばれることに留意されたい。ＰＰＤＵ持続時間１０２５フィールドは、ＳＴＡ１２０が送ることが許される次に続くＵＬ−ＭＵ−ＭＩＭＯ  ＰＰＤＵの持続時間を示す。ＳＴＡ  Ｉｎｆｏ  １０３０フィールドは、特定のＳＴＡに関する情報を含み、情報のＳＴＡごとの（ＳＴＡ１２０ごとの）セット（ＳＴＡ  Ｉｎｆｏ  １  １０３０およびＳＴＡ  Ｉｎｆｏ  Ｎ  １０７５を参照）を含み得る。ＳＴＡ  Ｉｎｆｏ  １０３０フィールドは、ＳＴＡを識別するＡＩＤまたはＭＡＣアドレスフィールド１０３２、ＳＴＡが（ＵＬ−ＭＵ−ＭＩＭＯシステムにおいて）使用し得る空間ストリームの数を示すいくつかの空間ストリームフィールド（Ｎｓｓ）１０３４フィールド、ＳＴＡがトリガフレーム（この事例におけるＣＴＸ）の受信と比較してそれの送信を調整するべき時間を示す時間調整１０３６フィールド、ＳＴＡが公表された送信電力から取るべき電力バックオフを示す電力調整１０３８フィールド、ＳＴＡが（ＵＬ−ＦＤＭＡシステムにおいて）使用し得るトーンまたは周波数を示すトーン割り振り１０４０フィールド、許可可能なＴＩＤを示す許可されたＴＩＤ１０４２フィールド、許可されたＴＸモードを示す許可されたＴＸモード１０４４フィールド、ＳＴＡが使用するべきＭＣＳを示すＭＣＳ１０４６フィールド、およびＳＴＡがアップリンクデータを送信するためのスタート時間を示すＴＸスタート時間フィールド１０４８を含み得る。いくつかの具体例において、許可されたＴＸモードは、短い／長いガード間隔（ＧＩ）またはサイクリックプリフィックスモード、バイナリ畳み混みコード（ＢＣＣ：binary convolutional code）／低密度パリティチェック（ＬＤＰＣ）モード（一般に、符号化モード）、または空間−時間ブロック符号化（ＳＴＢＣ）モードを含み得る。
【００７３】
[0088]  いくつかの具体例において、ＳＴＡｉｎｆｏフィールド１０３０〜１０７５は、ＣＴＸフレーム１０００から除外され得る。これらの具体例において、欠けているＳＴＡｉｎｆｏフィールドを有するＣＴＸフレーム１０００は、データをアップリンクするための要求メッセージ（例えば、ＲＴＳ、ＲＴＸまたはＱｏＳヌル）が受信されていたが、送信機会は承諾されていなかったことを、ＣＴＸフレーム１０００を受信するＳＴＡ１２０に示し得る。いくつかの具体例において、制御フィールド１０２０は、要求されたアップリンクに関する情報を含み得る。例えば、制御フィールド１０２０は、データまたは別の要求、なぜ要求が承諾されなかったかに関する理由コード、あるいはＳＴＡ１２０からの媒体アクセスを制御するための他のパラメータを送る前に、待ち時間を含み得る。欠けているＳＴＡｉｎｆｏフィールドを有するＣＴＸフレームはまた、下記に説明されるＣＴＸフレーム１１００、１２００、１３００、または１４００に適用され得る。
【００７４】
[0089]  いくつかの具体例において、許可されたＴＩＤ１０４２インジケーションでＣＴＸを受信するＳＴＡ１２０は、そのＴＩＤのみのデータ、同じまたはより高いＴＩＤのデータ、同じまたはより低いＴＩＤのデータ、いずれのデータ、またはそのＴＩＤのデータのみを最初に、そして、データが何も利用可能でない場合、他のＴＩＤのデータを送信することが許可され得る。ＦＣＳ１０８０フィールドは、ＣＴＸフレーム１０００のエラー検出に使用されるＦＣＳ値を搬送するを示す。
【００７５】
[0090]  図１１は、ＣＴＸフレーム１１００構造の別の例の図である
この具体例において、図１０に併せて、ＳＴＡ  Ｉｎｆｏ  １０３０フィールドは、ＡＩＤまたはＭＡＣアドレス１０３２フィールドを含まず、その代わり、ＣＴＸフレーム１０００は、個々の識別子よりもグループ識別子によって、アップリンクデータをコンカレントに送信するために、ＳＴＡを識別するグループ識別子（ＧＩＤ）１０２６フィールドを含む。図１２は、ＣＴＸフレーム１２００構造の別の例の図である。この具体例において、図１１と併せて、ＧＩＤ１０２６フィールドは、マルチキャストＭＡＣアドレスを介してＳＴＡのグループを識別するＲＡ１０１４フィールドに取り替えられ得る。
【００７６】
[0091]  図１３は、ＣＴＸフレーム１３００構造の例の図である。この具体例において、ＣＴＸフレーム１３００は、管理ＭＡＣヘッダ１３０５フィールド、ボディ１３１０フィールド、およびＦＣＳ１３８０フィールドを含む管理フレームである。ボディ１３１０フィールドは、情報エレメント（ＩＥ）を識別するＩＥ  ＩＤ１３１５フィールド、ＣＴＸフレーム１３００の長さを示すＬＥＮ１３２０フィールド、ＣＴＲＬ１０２０フィールドと同じ情報を含むＣＴＲＬ１３２５フィールド、ＳＴＡ１２０が送ることを許可された次に続くＵＬ−ＭＵ−ＭＩＭＯ  ＰＰＤＵの持続時間を示すＰＰＤＵ持続時間１３３０フィールド、次に続くＵＬ−ＭＵ−ＭＩＭＯ送信において使用するための全てのＳＴＡについてのＭＣＳ、または次に続くＵＬ−ＭＵ−ＭＩＭＯ送信において使用する全てのＳＴＡについてのＭＣＳバックオフを示すことができるＭＣＳ１３７５フィールドおよびＳＴＡ  Ｉｎｆｏ１  １３３５フィールドを含む。ＳＴＡ  Ｉｎｆｏ  １  １３３５（ＳＴＡ  Ｉｎｆｏ  Ｎ  １３７０と共に）フィールドは、ＳＴＡを識別するＡＩＤ１３４０フィールドを含むＳＴＡごとのフィールド、ＳＴＡが（ＵＬ−ＭＵ−ＭＩＭＯシステムにおいて）使用し得る空間ストリームの数を示すいくつかの空間ストリームフィールド（Ｎｓｓ）１３４２フィールド、トリガフレーム（この事例におけるＣＴＸ）の受信と比較して、ＳＴＡがそれの送信時間調整すべき時間を示す時間調整１３４４フィールド、ＳＴＡが公表された送信電力からから取るべき電力バックオフを示す電力調整１３４８フィールド、ＳＴＡが（ＵＬ−ＦＤＭＡシステムにおいて）使用し得るトーンまたは周波数を示すトーン割り振り１３４８フィールド、許可可能なＴＩＤを示す許可されたＴＩＤ１３５０フィールド、およびＳＴＡがアップリンクデータを送信するためのスタート時間を示すＴＸスタート時間フィールド１０４８を表す。
【００７７】
[0092]  １つの具体例において、ＣＴＸフレーム１０００またはＣＴＸフレーム１３００は、ＵＬ信号を送信する前に処理するための時間をＳＴＡ１２０に提供するために、Ａ−ＭＰＤＵにおいて集約され得る。この具体例において、パディングまたはデータは、ＳＴＡ１２０にやがて来るパケット（forthcoming packet）を処理するための追加の時間を許可するために、ＣＴＸの後に追加され得る。ＣＴＸフレームをパディングすることの１つの利点は、上記に説明されたようなフレーム間の空間（ＩＦＳ）を増加させることと比較すると、他のＳＴＡ１２０からのＵＬ信号について起こり得る競合の問題を避けることであり得る。１つの態様において、ＣＴＸが管理フレームがである場合、追加のパディング情報要素（ＩＥ）は送られ得る。１つの態様において、ＣＴＸがＡ−ＭＰＤＵにおいて集約される場合、追加のＡ−ＭＰＤＵパディングデリミタは、含まれ得る。パディングデリミタは、ＥｏＦデリミタ（４バイト）であり得か、または他のパディングデリミタであり得る。別の態様において、パディングは、データ、制御または管理ＭＰＤＰＵを追加することによって、それらがＩＦＳ応答時間内で処理されること必要としない限りは、達成され得る。ＭＰＤＵは、即時の応答は何も必要とされないこと、および次に続くＭＰＤＵのうちのいずれかによっても必要とされないことを受信機に示すインジケーションを含み得る。別の態様において、ＳＴＡ１２０は、ＡＰ１１０に、ＣＴＸフレームのためのパディングまたは最小持続時間を要求し得る。別の具体例において、パディングは、ＰＨＹ  ＯＦＤＭＡシンボルを追加することによって達成され得、それは、情報を搬送していない未定義のビットを含み得、または、それらがＩＦＳ時間内で処理される必要がない限りは、情報を搬送するビット系列を含み得る。
【００７８】
[0093]  いくつかの具体例において、ＡＰ１１０は、ＣＴＸ送信を開始し得る。１つの具体例において、正規拡張ディストリビューションチャネルアクセス（ＥＤＣＡ：enhanced distribution channel access）競合プロトコルに従って、ＡＰ１１０は、ＣＴＸメッセージ４０２を送り得る。別の具体例において、ＡＰ１１０は、スケジューリングされた時間で、ＣＴＸメッセージ４０２を送り得る。この具体例において、ＳＴＡ１２０のグループが媒体にアクセスするためにリザーブされた時間を示すビーコンにおける制限されたアクセスウィンドウ（ＲＡＷ：restricted access window）インジケーション、複数のＳＴＡ１２０に、ＵＬ−ＭＵ−ＭＩＭＯ送信に参加するために同じ時間にアウェイクであるように示す各ＳＴＡ１２０とのターゲットウェイク時間（ＴＷＴ）合意、または他のフィールドにおける情報を使用することによって、スケジューリングされた時間は、ＡＰ１１０によってＳＴＡ１２０に示され得る。ＲＡＷおよびＴＷＴの外側で、ＳＴＡ１２０は、いずれのフレーム、またはフレーム（例えば、非データフレーム）のサブセットのみを送信することが許可され得る。ある特定のフレームを送信することはまた、禁止され得る（例えば、データフレームを送信することが禁止され得る）。ＳＴＡ１２はまた、それがスリープ状態にあることとを示し得る。ＣＴＸをスケジューリングすることへの１つの利点は、複数のＳＴＡ１２０が、同じＴＷＴまたはＲＡＷ時間で示され得、ＡＰ１１０から送信を受信し得ることである。
【００７９】
[0094]  図１４は、ＣＴＸフレーム１４００構造の例の図である。ＣＴＸフレーム１４００は、例えば、図１のＡＰ１１０およびＳＴＡ１２０ａ−ｉのうちの１つまたは複数など、１つまたは複数のＳＴＡに、ＡＰによって送信され得る。例えば、ＣＴＸフレーム１４００は、図４Ａ、４Ｂ、または５〜８のタイミング図のうちの１つまたは複数に従って送信され得る。様々な具体例において、ＣＴＸフレーム１４００は、ＣＴＸフレーム１４００に応答して、１つまたは複数のＳＴＡ１２０によって送信される（１つまたは複数の）アップリンク応答メッセージに関してのパラメータを提供するために、１つまたは複数のＳＴＡ１２０に送信され得る。例示されるように、ＣＴＸフレーム１４００は、ＦＣフィールド１４０２、持続時間フィールド１４０４、第１のアドレス（「Ａ１」）フィールド１４０６、第２のアドレス（「Ａ２」）フィールド１４０８、共通情報フィールド１４１０、ユーザごとのｉｎｆｏフィールド１４５０〜１４９０、およびＦＣＳフィールド１４９５を備える。
【００８０】
[0095]  ＦＣフィールド１４０２は、制御サブタイプまたは拡張サブタイプを示すことができる。持続時間フィールド１４０４は、ＣＴＸフレーム１４００の受信機に、示された値に基づいてＮＡＶを設定することを示すことができる。Ａ１フィールド１４０６は、アドレス、ＢＳＳＩＤ、またはＳＴＡ１２０のうちの１つまたは複数のような、ＣＴＸメッセージを受信するように意図された複数のデバイス（例えば、ＳＴＡのグループ）またはデバイスの他の識別子を示すことができる。いくつかの態様において、Ａ１フィールド１４０６は、ＣＴＸフレーム１４００がブロードキャストされるときのように、随意的であり得る。Ａ２フィールド１４０８は、ＡＰ１１０のように、アドレス、ＢＳＳＩＤ、またはＣＴＸメッセージを送信するデバイス他の識別子を示すことができる。
【００８１】
[0096]  共通情報フィールド１４１０は、フレームの残りの部分のフォーマットに関する情報（例えば、ＳＴＡｉｎｆｏフィールドの数およびＳＴＡｉｎｆｏフィールド内のいずれのサブフィールドの存在または不在）、ＳＴＡ１２０のためのレート適応に関する（１つまたは複数の）インジケーション、許可されたＴＩＤの（１つまたは複数の）インジケーション、ＣＴＳがＣＴＸフーム１４００の直後に続いて送られなければいけないという（１つまたは複数の）インジケーション、等を含み得る。例えば、例示されるように、共通情報フィールド１４１０は、持続時間フィールド１４１２、パケット拡張フィールド１４１４、ＬＴＦタイプフィールド１４１６、サイクリックプリフィックス（ＣＰ）フィールド１４１８、応答帯域幅（ＢＷ）フィールド１４２０、電力制御フィールド１４２２、リソース割り振りマップフィールド１４２４、キャリア感知フィールド１４２６、ＴＩＤ／トラフィッククラス（ＴＣ）フィールド１４２８、ランダムアクセスフィールド１４３０、応答タイプフィールド１４３２、集約された制御フィールド１４３４、バックオフフィールド１４３６、否定応答（ＮＡＣＫ）フィールド１４３８、ＢＳＳ−色フィールド１４４０、ＴＸＯＰ持続時間フィールド１４４２、およびＲＬ−ＳＩＧマスキング配列フィールド１４４４を備えることができる。いくつかの態様において、持続時間フィールド１４１２、パケット拡張フィールド１４１４、ＬＴＦタイプフィールド１４１６、ＣＰフィールド１４１８、応答ＢＷフィールド１４２０、電力制御フィールド１４２２、リソース割り振りマップフィールド１４２４は、ＰＨＹパラメータと呼ばれ得る。いくつかの態様において、パラメータのうちのいくつかは、アップリンク応答パケット（例えば、ＵＬ  ＭＵ  ＰＰＤＵ）を形成するために、ＳＴＡ１２０によって使用され得、および／または、アップリンク応答パケットのＳＩＧ−Ａフィールドに含まれ得る。追加的または代替的に、いくつかの態様において、ＣＴＸフレーム１４００は、ＳＩＧ−Ａフィールドにおいて利用される厳密値（exact value）を示すフィールドを含み得る。これらの態様に従って、ＳＴＡ１２０は、アップリンク応答メッセージにおける送信されたＳＩＧ−Ａにフィールドのコンテンツを単にコピーできる。いくつかの態様において、このモードは、ＳＴＡ１２０の動作を単純にし、またＳＩＧ−Ａの内容フォーマットの更新を容易にできる。いくつかの態様において、キャリア感知フィールド１４２６、ＴＩＤ／ＴＣフィールド１４２８、ランダムアクセスフィールド１４３０、応答タイプフィールド１４３２、集約された制御フィールド１４３４、バックオフフィールド１４３６、およびＮＡＣＫフィールド１４３８は、ＭＡＣパラメータと呼ばれ得る。これらのフィールドの全てが共通情報フィールド１４１０として例示されるが、これらのフィールドのただ一部分のみが、所与の具体例において存在し得、追加フィールドは、存在し得、フィールドの順番は、再配置され得る。
【００８２】
[0097]  持続時間フィールド１４１２は、ＳＴＡ１２０からの応答ＰＳＤＵ（例えば、アップリンクパケット）のＯＦＤＭシンボルの数を示し得る。いくつかの態様において、持続時間フィールド１４１２は、長さで９つのビットであり得る。別の具体例において、持続時間フィールド１４１２は、９つのビットであり得る。他の態様において、持続時間フィールド１４１２は、長さで９つのビットより多いか少なくあり得る。いくつかの態様において、ＯＦＤＭシンボルは、ＩＥＥＥ８０２．１１ａｘにおけるシンボル持続時間のような、１６μｓであり得る。他の態様において、ＯＦＤＭシンボルは、ＩＥＥＥ８０２．１１ａｃにおけるシンボル持続時間のように、４μｓであり得る。これらの態様に従って、トリガは、パディングに起因する損失なく非高効率（ＨＥ）シングルユーザ（ＳＵ）ＰＰＤＵを取り出す（eliciting）ために利用され得る。別の態様において、持続時間フィールド１４１２は、アップリンク応答メッセージ（例えば、ＵＬ  ＭＵ  ＰＰＤＵ）の場合、Ｌ−ＳＩＧフィールドの長さフィールドへコピーするために、各ＳＴＡごとの値を含み得る。この態様に従って、持続時間フィールド１４１２は、８０２．１１仕様書のうち１つまたは複数に従って、Ｌ−ＳＩＧフィールドにおける長さフィールドの設定のために定義されるルールに従って、設定され得る。様々な態様において、持続時間フィールド１４１２は、ＳＴＡ１２０（例えば、アップリンクパケット）から受信されるＭＰＤＵまたはＰＰＤＵのシンボルにおける持続時間を示し得る。パケット拡張フィールド１４１４は、応答ＰＰＤＵの終わりにおいてＳＴＡ１２０がパケット拡張（ＰＥ）シンボルを含まなければいけないか、またはそれらを考慮（account for）しなければいけないか、を示すことができ、あるいはそうでなければ、ＰＥ技法を使用する。いくつかの具体例において、ＰＥは、パケットを受信するデバイスがパケットにおいて含まれる情報を正確に処理するための追加的な処理時間を有することを可能にし得る。いくつかの態様において、パケット拡張フィールド１４１４は、ａ−ｆａｃｔｏｒ、ＬＤＰＣの余分シンボル、またはＰＥ持続時間のうちの１つまたは複数を示し得る。ａ−ｆａｃｔｏｒは、米国仮特許出願第６２／１８９、１７０号において、説明されたａ−ｆａｃｔｏｒと同様であり得る。いくつかの態様において、ａ−ｆａｃｔｏｒは、長さで３つのビットまたはそれより少なくあり得る。ＬＤＰＣの余分シンボルは、長さで１つのビットで有り得、ＬＤＰＣのための追加のシンボルがＳＴＡによってアップリンク応答メッセージにおいて利用されるべきであるかどうかを示すために使用され得る。ＰＥ持続時間は、長さで３つのビットで有り得、ＳＴＡ１２０によって送信されるアップリンクパケットの終わりに追加される拡張の持続時間を示し得る。いくつかの態様において、ＰＥ持続時間は１、または０μｓ、４μｓ、８μｓ、１２μｓ、または１６μｓであり得る。
【００８３】
[0098]  ＬＴＦタイプフィールド１４１６は、長いＬＴＦフォーマットがアップリンク応答メッセージに使用されるか、または短いＬＴＦフォーマットがアップリンク応答メッセージに使用されるかを示し得る。いくつかの態様において、ＬＴＦタイプフィールド１４１６は、追加的または代替的に、アップリンク応答メッセージに使用される複数のＬＴＦの合計の持続時間または長さを示し得る。ＳＴＡ１２０のうちの１つまたは複数が、異なる数の空間ストリームを使用し得、それは、ＬＴＦの数（または合計持続時間）がＳＴＡ１２０にわたって同じである場合に、有利であり得るので、（１つまたは複数の）ＬＴＦの合計持続時間のインジケーションは、役立ち得る。ＣＰフィールド１４１８は、長さで２つのビットで有り得、アップリンク応答メッセージにおいて使用されるＣＰの持続時間を示し得る。いくつかの態様において、３つの異なるＣＰモードがある。応答ＢＷフィールド１４２０は、アップリンク応答メッセージのレガシプリアンブルに対してＢＷのどの部分がＳＴＡ１２０によって利用されるべきであるかをを示し得る。いくつかの態様において、示された部分は、利用可能な全体のＢＷ、またはそれらのいくつかの部分であり得る。
【００８４】
[0099]  電力制御フィールド１４２２は、ＡＰ１１０の送信電力（例えば、ｄＢｍで）またはターゲット受信電力のうちの１つまたは複数を示し得る。いくつかの態様において、ＳＴＡ１２０は、ＣＴＸフレーム１４００の推定された受信された強度に加えて、この情報のいくつかを利用し得、ＡＰ１１０に到達するための必要とされる送信電力を計算／推定し得る。いくつかの態様において、ＳＴＡ１２０は、ターゲット受信電力でＡＰ１１０に到達するためにするために必要とされる最小送信電力を推定し得る。リソース割り振りマップフィールド１４２４は、ＳＴＡ１２０に対するリソース割り振りを定義し得る。例えば、リソース割り振りマップフィールド１４２４は、ＳＴＡの順序づけられた配列と対応する割り振られた周波数リソースユニット（ＲＵ）との間のやりとり（correspondence）を示し得る。一態様において、リソース割り振りマップフィールド１４２４は、マッピングが使用される高水準インジケーションであることができ、その順序は、ユーザごとのｉｎｆｏフィールド１４５０〜１４９０において示され得る。
【００８５】
[00100]  キャリア感知フィールド１４２６は、アップリンク応答メッセージに応答する前にＳＴＡ１２０がチャネル状態を検討するかどうか（例えば、物理および仮想キャリア感知）を示し得る。例えば、キャリア感知フィールド１４２６は、送信媒体が送信から十分に解放されているかどうかをＳＴＡ１２０が感知しなければいけないかどうかについての１つのビットのインジケーションを備え得る。いくつかの態様において、この感知することは、エネルギー検出技法、パケット検出技法、またはいくつかの他の技法に従って行われ得る。いくつかの態様において、キャリア感知フィールドはまた、ＳＴＡ１２０に関して、クリアチャネルアセスメント（ＣＣＡ）しきい値を示し得る。これらの態様に従って、ＳＴＡ１２０は、媒体上で関知される情報の強さがしきい値を上回るか、下回るかに少なくとも部分的に基づいて、媒体が、十分に解放されているかを決定し得る。
【００８６】
[00101]  ＴＩＤ／ＴＣフィールド１４２８は、ＳＴＡ１２０がアップリンク応答メッセージに利用しなければいけないトラフィッククラスまたはトラフィック識別子のうちの１つまたは複数を示し得る。ランダムアクセスフィールド１４３０は、リソースユニットのいくつかがランダムアクセスに対して割り振られることを示し得る。例えば、いくつかの具体例において、ＡＰ１１０は、ＳＴＡが競合ベースのプロトコルに従って、ＡＰ１１０に情報を送信するための１つまたは複数のリソースユニットを提供し得る。ランダムアクセスＲＵについてのパラメータは、応答タイプフィールド１４３２またはユーザごとのｉｎｆｏフィールド１４５０〜１４９０において示され得る。応答タイプフィールド１４３２は、アップリンク応答メッセージにおいて、ＳＴＡ１２０によって送信されなければいけないメッセージ／フレームのタイプまたはサブタイプを示し得る。例えば、応答タイプフィールド１４３２は、いずれのＭＰＤＵタイプも利用され得ること、各ＳＴＡ１２０は、レガシＣＴＳで応答しなければいけないこと、各ＳＴＡは、ＨＥ  ＣＴＳ応答で応答すること、またはそれらのあらゆる組合せを示し得る。ランダムアクセスＲＵが利用される場合、応答タイプフィールド１４３２は、キャリア感知が必要とされないフレームのタイプのみが使用され得ること、ランダムアクセスＲＵの間、ある特定の時間フレーム内で以前の提出された（filed）送信の再送信であるフレームのみが送られ得ること、パケットのある特定のタイプまたはサブタイプのみ（例えば、暗号化されたパケットのみ）が送信され得ること、ランダムアクセスＲＵの間、関連のＳＴＡ１２０のみが送信し得ること、ランダムアクセスＲＵの間、非関連のＳＴＡ１２０のみが送信し得ること、デバイスの優先度（またはデバイスタイプ）、またはそれらの何らかの組合せを示し得る。例えば、ランダムアクセスＲＵの間、ＳＴＡ１２０は、ＰＳ−ポール／ＱｏＳヌル、データ、圧縮されたビームフォーミングレポートフィードバック、レガシＣＴＳ、等、様々なタイプのフレームを送信し得る。
【００８７】
[00102]  集約された制御フィールド１４３４は、追加の集約された（Ａ）（１つまたは複数の）制御フィールドまたは（１つまたは複数の）サブフィールドの存在を示し得る。いくつかの態様において、集約された制御フィールド１４３４はまた、存在するＡ−制御フィールドのタイプを示し得る。いくつかの態様において、（１つまたは複数の）Ａ−制御サブフィールドは、チャネル品質インジケーション（ＣＱＩ）要求パラメータ、バッファ要求パラメータ（例えば、ステータス要求、それは、ただ次にバッファされた送信についての情報を要求するか、またはＳＴＡ１２０による全てのバッファされた送信についての情報を要求し得る）、媒体再使用パラメータ（例えば、ＣＣＡ繰り延べしきい値、干渉限界、ＳＮＲ要求、等）、（例えば、ＣＴＸフレーム１４００がユニキャストである場合）ＡＣＫ／ＢＡ、またはトンネルダイレクトリンクステーション（ＴＤＬＳ：tunneled direct link station）が、（例えば、別のＳＴＡ１２０が、ＡＰ１１０だけではなく、別のＳＴＡ１２０に送信するために）利用され得るインジケーションを備え得る。
【００８８】
[00103]  バックオフフィールド１４３６は、ＣＴＸフレーム１４００の受領の後、またはＳＴＡ１２０によるアップリンク応答メッセージの送信の後に、ＳＴＡ１２０に関するバックオフ挙動を示し得る。例えば、バックオフフィールド１４３６は、ＳＴＡ１２０がそれらのバックオフをリセットするか、それらのバックオフを保持するかどうかを示し得るか、さもなければ、または新しい競合ウィンドウ値を提供し得る。いくつかの態様において、バックオフは、公平性のために利用され得る（例えば、ワイヤレス媒体へのアクセスにおける公平性）。ＮＡＣＫフィールド１４３８は、たとえ、ＳＴＡ１２０が（例えば、許可された応答タイプに関して）送るものが何もないとしてもＳＴＡ１２０がＭＰＤＵを送らなければいけないかどうかを示し得る。いくつかの態様において、送るものが何もないＳＴＡ１２０は、サービス品質（ＱｏＳ）ヌルパケットを送信し得る。いくつかの態様において、ＳＴＡ１２０は、要求された応答持続時間に到達するために、この事例において送られたＭＰＤＵをパディングする必要があり得る。ＢＳＳ−色フィールド１４４０は、そのＡＰ１１０色、またはマルチＢＳＳ色を示し得る。ＴＸＯＰ持続時間フィールド１４４２は、ＮＡＶを設定するために使用され得る。ＲＬ−ＳＩＧマスキング配列フィールド１４４４は、アップリンク応答メッセージのＲＬ−ＳＩＧフィールドにおいて適用されるマスキングのタイプを示すために使用され得る。
【００８９】
[00104]  例示されるように、ユーザごとのｉｎｆｏフィールド１４５０〜１４９０は、各々、アドレスタイプフィールド１４５２、アドレスフィールド１４５４、応答タイプフィールド１４５６、集約された制御フィールド１４５８、ＡＣＫ／ＢＡフィールド１４６０、ＮＡＣＫフィールド１４６２、ＴＩＤ／ＴＣフィールド１４６４、ＭＣＳフィールド１４６６、デユアルキャリア復調（ＤＣＭ）フィールド１４６８、ＢＣＣ／ＬＤＰＣフィールド１４７０、ＲＵインデックスフィールド１４７２、いくつかの空間ストリーム（ＮＳＳ）フィールド１４７４、空間ストリームスタートインデックス１４７６、ＭＵ−ＭＩＭＯフィールド１４７８、電力制御フィールド１４８０、タイミング調整フィールド１４８２、および周波数オフセット調整フィールド１４８４を備える。いくつかの態様において、アドレスタイプフィールド１４５２、アドレスフィールド１４５４、応答タイプフィールド１４５６、集約された制御フィールド１４５８、ＡＣＫ／ＢＡフィールド１４６０、ＮＡＣＫフィールド１４６２、およびＴＩＤ／ＴＣフィールド１４６４は、ＭＡＣパラメータとして呼ばれ得る。いくつかの態様において、ＭＣＳフィールド１４６６、ＤＣＭフィールド１４６８、ＢＣＣ／ＬＤＰＣフィールド１４７０、ＲＵインデックスフィールド１４７２、ＮＳＳフィールド１４７４、空間ストリームスタートインデックス１４７６、ＭＵ−ＭＩＭＯフィールド１４７８、電力制御フィールド１４８０、タイミング調整フィールド１４８２、および周波数調整フィールド１４８４は、ＰＨＹパラメータとして参照され得る。
【００９０】
[00105]  アドレスタイプフィールド１４５２は、アドレスフィールド１４５４が識別されたＳＴＡ１２０のＭＡＣアドレスを含むかまたはＡＩＤを含むかについての１つのビットのインジケーションを備え得る。アドレスフィールド１４５４は、ＡＩＤ、ＭＡＣアドレス、またはユーザごとのｉｎｆｏフィールド１４５０における情報が対象とするＳＴＡ１２０（以下、「識別されたＳＴＡ１２０」と称する）についてのＭＡＣアドレスのハッシュを含むことができる。いくつかの態様において、アドレスフィールド１４５４は、ＡＩＤが利用される場合、１２個のビット（またはより少ない）であり得る。いくつかの態様において、アドレスフィールド１４５４は、ＡＩＤが利用される場合、１２個のビットと等しいかまたはそれより大きい。いくつかの態様において、ＳＴＡ１２０のＭＡＣアドレスのハッシュは、利用可能なＡＩＤがない可能性があるとき、非関連のＳＴＡ１２０に対して使用され得る。
【００９１】
[00106]  応答タイプフィールド１４５６は、識別されたＳＴＡ１２０がアップリンク応答メッセージに対して利用するというメッセージ／パケットのタイプを示し得る。例えば、応答タイプフィールド１４５６は、いずれのＭＰＤＵタイプが使用されること、ただサウンディングフィードバックのみが提供されること、ただＰＳ−ポールが送信され得ること、またはそれらのなんらかの組合せ、を示し得る。集約された制御フィールド１４５８は、Ａ−制御フィールドの存在を示し得る。いくつかの態様において、Ａ−制御フィールドは、ＢＡ要求（ＢＡＲ）、ＣＱＩ要求、バッファ情報要求、チャネル状態情報（ＣＳＩ）フラグメント／チャネル、またはそれらの何らかの組合せ、のうちの１つまたは複数を含み得る。いくつかの態様において、ＣＳＩフラグメント／チャネルは、サウンディングフィードバック応答に対して使用されるパラメータを示す。いくつかの態様において、集約された制御フィールド１４５８はまた、存在するＡ−制御フィールドのタイプを示し得る。
【００９２】
[00107]  ＡＣＫ／ＢＡフィールド１４６０は、フラグメントのためのＡＣＫ／ＢＡタイプを示し得る。ＮＡＣＫフィールド１４６２は、上記で説明されるＮＡＣＫフィールド１４３８と同様であるが、個々のＳＴＡ１２０ベースで、ＮＡＣＫが要求されることを示し得る。ＴＩＤ／ＴＣフィールド１４６４は、識別されたＳＴＡ１２０は、アップリンク応答メッセージに関して利用しなければいけないトラフィッククラスまたはトラフィック識別子のうちの１つまたは複数を示し得る。ＭＣＳフィールド１４６６は、アップリンク応答メッセージに関して識別されたＳＴＡ１２０によって使用されるＭＣＳを示し得る。ＤＣＭフィールド１４６８は、応答するとき、識別されたＳＴＡ１２０によって使用されるＤＣＭを示し得る。ＢＣＣ／ＬＤＰＣフィールド１４７０は、識別されたＳＴＡ１２０に関して、ＢＣＣ／ＬＤＰＣ応答符合化タイプを示し得る。
【００９３】
[00108]  ＲＵインデックスフィールド１４７２は、識別されたＳＴＡ１２０に関して割り振られた（１つまたは複数の）ＲＵを示し得る。いくつかの態様において、ＲＵインデックスフィールド１４７２は、ｌｏｇ２（＃ＲＵ）を示し得、ここで、＃ＲＵは、識別されたＳＴＡ１２０に関して割り振られたＲＵの数を表す。いくつかの態様において、ＲＵインデックスは、スタートＲＵを示し得、識別されたＳＴＡ１２０に関して割り振られた隣接するＲＵの数を示し得る。ＮＳＳフィールド１４７４は、識別されたＳＴＡ１２０に関して割り振られた空間ストリームの数を示し得、空間ストリームスタートインデックス１４７６は、割り振られた空間ストリームに関するスタートインデックスを示し得る。ＭＵ−ＭＩＭＯフィールド１４７８は、ＭＵ−ＭＩＭＯが利用されるかどうかを示し得る。いくつかの態様において、ＭＵ−ＭＩＭＯが利用されない場合、電力制御フィールド１４８０のような、他の関連するフィールドは、ＣＴＸメッセージ内に存在しない可能性がある。電力制御フィールド１４８０は、識別されたＳＴＡ１２０の送信電力またはＳＴＡ１２０からの（ＡＰ１１０によって）期待された受信電力を示すことができる。いくつかの態様において、識別されたＳＴＡ１２０は、少なくともこの情報に基づいて、それの送信電力を計算し得る。タイミング調整フィールド１４８２は、識別されたＳＴＡ１２０に関するタイミング調整を示し得、それは、ＡＰ１１０が複数のＳＴＡ１２０にわたる到着の異なる時間に関して補正することを可能にできる。周波数オフセット調整フィールド１４８４は、識別されたＳＴＡ１２０に関して周波数調整を示し得、これは、ＡＰ１１０が、複数のＳＴＡ１２０にわたって異なる中心周波数設定に対して補正することを可能にする。ユーザごとのｉｎｆｏフィールド１４９０は、上記で説明されたものと同様のフィールドを含み得るが、識別された特定のＳＴＡ１２０に依存して、より多いかまたはより少ないフィールドを含み得る。ＦＣＳフィールド１４９５は、ＣＴＸフレーム１４００のエラー検出に使用されるＦＣＳ値を示すことができる。
【００９４】
[00109]  図１５は、ここで説明されるある特定の具体例に従う、ワイヤレス通信の例となる方法１５００のフローチャートである。当業者は、方法１５００がいずれの適切なデバイスおよびシステムによって実施され得ることが理解するだろう。例えば、方法１５００は、図１のＡＰ１１０によって実施され得る。
【００９５】
[00110]  動作のブロック１５０５において、方法１５００は、アップリンク送信機会を示すクリアツートランスミット（ＣＴＸ）メッセージを生成することを含み、ＣＴＸメッセージは、特定の時間において、２つ以上の局がアップリンクデータをコンカレントに送信することを求める要求をさらに備える。いくつかの態様において、２つ以上の局は図１のＳＴＡのうちの２つ以上を含む。一具体例において、ＣＴＸメッセージは、図１４のＣＴＸフレーム１４００と同様であり得る。いくつかの態様において、ＣＴＸメッセージは、２つ以上の局の全てに共通の情報を含む共通情報フィールド、および２つ以上の局の各々にそれぞれ対応する２つ以上の個別情報フィールドを備えることができる。いくつかの態様において、ＣＴＸメッセージは、複数のアップリンクデータ送信のために使用されるＯＦＤＭシンボルの数を示す９つのビットの持続時間フィールドを備えることができる。いくつかの態様において、ＣＴＸメッセージは、２つ以上の局が複数のアップリンクデータ送信の終わりでパケット拡張シンボルを含むかどうかについてのインジケーションを備えることができる。いくつかの態様において、ＣＴＸメッセージは、２つ以上の局が送信することの前にワイヤレス媒体の状態を検討するというインジケーション、およびワイヤレス媒体の状態を検討中の２つ以上の局によって利用されるクリアチャネルアセスメントしきい値のインジケーションを備えることができる。いくつかの態様において、ＣＴＸメッセージは、複数のアップリンクデータ送信のための２つ以上の局によって利用されるパケットタイプのインジケーション、およびアップリンク送信機会の間、関連のまたは非関連の局が、送信し得るかどうかについてのインジケーションを備えることができる。いくつかの態様において、ＣＴＸメッセージは、ＣＴＸメッセージの送信電力のインジケーションおよび複数のアップリンクデータ送信のターゲット送信電力を備えることができる。いくつかの態様において、クリアツートランスミットメッセージを生成することは、メッセージにメモリの一部分を割り振ることと、図１０−１４において示されるメッセージフォーマットのうちのいずれかのような、ＣＴＸメッセージのそれと一致するフォーマットにおいて割り振られたメモリを初期化することとを含み得る。
【００９６】
[00111]  動作のブロック１５１０において、方法１５００は、２つ以上の局にＣＴＸメッセージを送信することをさらに含む。２つ以上の局にＣＴＸメッセージを送信することは、例えば、２つ以上の局またはＭＡＣアドレスを介して、２つ以上の局を識別するためにＣＴＸメッセージの送信アドレス情報を設定することを少なくとも含み得る。ＣＴＸメッセージを送信することはまた、ネットワークソフトウェアドライバにおいて送信機能を起動すること、または送信機３１０のような、ネットワークハードウェアチップにデータを渡すことを含み得る。ネットワークソフトウェアドライバが起動されるかまたはデータがネットワークハードウェアチップに渡されるとき、ＣＴＸメッセージのメッセージフォーマットにおいて初期化されたメモリの部分は、入力パラメータを介して、ネットワークソフトウェアドライバまたはネットワークハードウェアチップのものと識別され得る。
【００９７】
[00112]  動作のブロック１５１５において、方法１５００は、２つ以上の局のうちの少なくとも２つの局から特定の時間において複数のアップリンクデータ送信を受信することをさらに含む。いくつかの態様において、複数のアップリンクデータ送信を受信することは、１つまたは複数のパケットがネットワークから受信されていたネットワークハードウェアチップからの通知を受信すること、および、図３において示されるメモリ３０６のような、メモリに、ネットワークハードウェアチップからパケットデータをコピーすることを含み得る。
【００９８】
[00113]  いくつかの態様において、方法１５００は、ランダムアクセスのための１つまたは複数のリソースユニットを決定することと、ＣＴＸメッセージにおいて１つまたは複数のリソースユニットのインジケーションを送信することと、１つまたは複数のリソースユニットに基づいて、ランダムアクセスアップリンクデータを受信することとをさらに備える。
【００９９】
[00114]  いくつかの具体例において、ワイヤレス通信のための装置は、方法１５００の機能のいくつかを行い得る。装置は、アップリンク送信機会を示すクリアツートランスミット（ＣＴＸ）メッセージを生成するための手段を備え、ＣＴＸメッセージは、特定の時間において、２つ以上の局がアップリンクデータをコンカレントに送信することを求める要求をさらに備える。いくつかの態様において、生成するための手段は、プロセッサ３０４、メモリ３０６、またはそれらの同等物のうちの１つまたは複数を備え得る。装置は、２つ以上の局にＣＴＸメッセージを送信するための手段をさらに含み得る。いくつかの態様において、送信するための手段は、送信機３１０、トランシーバ３１４、またはそれらの同等物のうちの１つまたは複数を備え得る。装置は、２つ以上の局のうちの少なくとも２つの局から特定の時間において複数のアップリンクデータ送信を受信するための手段をさらに備え得る。いくつかの態様において、受信するための手段は、受信機３１２、トランシーバ３１４、またはそれらの同等物のうちの１つまたは複数を備え得る。
【０１００】
[00115]  当業者は、情報および信号が、様々な異なる技術および技法のいずれかを使用して表され得ることを理解するであろう。例えば、上記の説明全体を通して参照され得るデータ、命令、コマンド、情報、信号、ビット、シンボル、およびチップは、電圧、電流、電磁波、磁場もしくは磁性粒子、光学場もしくは光学粒子、またはそれらの任意の組合せによって表され得る。
【０１０１】
[00116]  本開示で説明される実施形態に対する様々な変更は、当業者にとって容易に明らかであり、本明細書で定義される一般的な原理は、本開示の範囲または趣旨から逸脱することなく他の実施形態に適用され得る。従って、本開示は、本明細書に図示される実施形態に制限されるように意図されていないが、本明細書で開示される請求項、原理および新規な特徴と一致する最も広い範囲を与えられることとなる。ただ本明細書においてのみ使用される「例となる（exemplary）」という用語は、「例、実例、または例示として役立つこと」を意味する。「例となる」としてここにおいて説明されるいずれの実施形態も、他の実施形態に対して、必ずしも好ましいまたは有利であるようには解釈されない。
【０１０２】
[00117]  別個の実施形態の文脈で本明細書において説明されているある特定の特徴もまた、単一の実施形態に組み合わせて実施され得る。反対に、単一の実施形態の文脈において説明される様々な特徴もまた、複数の実施形態において別個に、または任意の適切なサブコンビネーションにおいて実施され得る。さらに、特徴はある特定の組合せにおいて作用するように上記で説明され得、最初のうちからでさえそのように請求され得るが、請求される組合せからの１つまたは複数の特徴は、いくつかの事例においてその組合せから削除され得、請求される組合せは、サブコンビネーション、またはサブコンビネーションの変形を対象にできる。
【０１０３】
[00118]  上記で説明された方法の様々な動作は、様々なハードウェアおよび／またはソフトウェアの（１つまたは複数の）コンポーネント、回路、および／または（１つまたは複数の）モジュールなどの、これら動作を行う能力がある任意の適切な手段によって行われ得る。一般に、図面において例示された任意の動作は、これら動作を行う能力がある対応する機能的な手段によって行われ得る。
【０１０４】
[00119]  本開示に関連して説明されている、様々な例示的な論理ブロック、モジュール、および回路は、汎用プロセッサ、デジタルシグナルプロセッサ（ＤＳＰ）、特定用途向け集積回路（ＡＳＩＣ）、フィールドプログラマブルゲートアレイ信号（ＦＰＧＡ）または他のプログラマブル論理デバイス（ＰＬＤ）、ディスクリートゲートまたはトランジスタ論理回路、ディスクリートハードウェアコンポーネント、あるいは、ここで説明されている機能を行うように設計された、それらのあらゆる組合せを用いて実施または行われ得る。汎用プロセッサは、マイクロプロセッサであることができるが、代替としては、プロセッサは、あらゆる商業的に利用可能なプロセッサ、コントローラ、マイクロコントローラ、またはステートマシンであることができる。プロセッサはまた、例えば、ＤＳＰと、１マイクロプロセッサ、複数のマイクロプロセッサ、ＤＳＰコアと連動する１つまたは複数のマイクロプロセッサ、または任意の他のそのような構成との組合せのような、コンピューティングデバイスの組合せとしても実施され得る。
【０１０５】
[00120]  １つまたは複数の態様において、説明された機能は、ハードウェア、ソフトウェア、ファームウェア、またはそれらのあらゆる組合せで実施され得る。ソフトウェアで実施される場合、機能は、コンピュータ読取り可能媒体上で、１つまたは複数の命令またはコードとして記憶または送信され得る。コンピュータ読取り可能媒体は、１つの場所から別の場所へのコンピュータプログラムの転送を容易にする任意の媒体を含む通信媒体とコンピュータ記憶媒体との両方を含む。記憶媒体は、コンピュータによってアクセスされ得る任意の利用可能な媒体であり得る。限定ではなく例として、このようなコンピュータ−読取り可能媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを搬送または記憶するために使用され得、かつコンピュータによってアクセスされることのできるその他任意の媒体を備え得る。また、任意の接続は、コンピュータ−読取り可能媒体と厳密には称され得る。例えば、ソフトウェアが、ウェブサイトから、サーバから、あるいは他の遠隔ソースから、同軸ケーブル、光ファイバケーブル、ツイストペア、デジタル加入者線（ＤＳＬ）、または赤外線、無線、マイクロ波のようなワイヤレス技術を使用して、送信される場合、同軸ケーブル、光ファイバケーブル、ツイストペア、ＤＳＬ、または赤外線、無線、マイクロ波のようなワイヤレス技術は、媒体の定義に含まれる。ここで使用される場合、ディスク（disk）およびディスク（disc）は、コンパクトディスク（ＣＤ）、レーザーディスク（登録商標）、光ディスク、デジタル多目的ディスク（ＤＶＤ）、フロッピー（登録商標）ディスクおよびＢｌｕ−ｒａｙ（登録商標）ディスクを含み、ここでディスク（disks）は、通常磁気的にデータを再生し、一方ディスク（discs）は、レーザーを用いて光学的にデータを再生する。このように、いくつかの態様において、コンピュータ読取り可能媒体は、非一時的コンピュータ読取り可能媒体（例えば、有形媒体）を備え得る。加えて、いくつかの態様では、コンピュータ読取り可能媒体が、一時的なコンピュータ読取り可能媒体（例えば、信号）を備え得る。上記の組合せもまた、コンピュータ読取り可能媒体の範囲内に含まれるべきである。
【０１０６】
[00121]  ここに開示された方法は、説明された方法を達成するための１つまたは複数のステップまたはアクションを備える。方法のステップおよび／またはアクションは、特許請求の範囲から逸脱することなく互いに置き換えられ得る。言い換えれば、ステップまたはアクションの特定の順序が明記されない限り、特定のステップおよび／またはアクションの順序および／または使用は、特許請求の範囲から逸脱することなく修正され得る。
【０１０７】
[00122]  さらに、ここで説明された方法および技法を行うためのモジュールおよび／または他の適切な手段は、適宜、ワイヤレス局および／または基地局によって、ダウンロードされ得ること、および／または、別の方法で取得され得ることが理解されるべきである。例えば、このようなデバイスは、ここで説明された方法を行うための手段の転送を容易にするためにサーバに結合され得る。代替的に、ここで説明された様々な方法は、ワイヤレス局および／または基地局が、デバイスに記憶手段を結合または提供する際に様々な方法を取得できるように、記憶手段（例えば、ＲＡＭ、ＲＯＭ、コンパクトディスク（ＣＤ）またはフロッピーディスクのような物理記憶媒体、等）を介して提供され得る。さらに、ここで説明された方法および技法をデバイスに提供するための他の任意の適切な技法が、利用され得る。
【０１０８】
[00123]  前述が本開示の態様を対象にする一方で、本開示のその他および更なる態様が、その基本的な範囲から逸脱することなく考案され得、その範囲は、以下に続く特許請求の範囲によって決定される。
以下に本願発明の当初の特許請求の範囲に記載された発明を付記する。
［Ｃ１］
ワイヤレス通信のための装置であって、
アップリンク送信機会の第１のインジケーションを備えるクリアツートランスミットメッセージを生成するように構成された電子ハードウェアプロセッサ、前記クリアツートランスミットメッセージは、特定の時間において、２つ以上の局がアップリンクデータをコンカレントに送信することを求める要求をさらに備える、と、
前記２つ以上の局に前記クリアツートランスミットメッセージを送信するように構成された送信機と、
前記２つ以上の局のうちの少なくとも２つの局から前記特定の時間において複数のアップリンクデータ送信を受信するように構成された受信機と
を備える、装置。
［Ｃ２］
前記電子ハードウェアプロセッサは、前記２つ以上の局の全てに共通の情報を含む共通情報フィールドおよび前記２つ以上の局の各々にそれぞれ対応する２つ以上の個別情報フィールドを備えるために前記クリアツートランスミットメッセージを生成するようにさらに構成される、Ｃ１に記載の装置。
［Ｃ３］
前記電子ハードウェアプロセッサは、前記複数のアップリンクデータ送信のために使用されるＯＦＤＭシンボルの数を示す９つのビットの持続時間フィールドを備えるために前記クリアツートランスミットメッセージを生成するようにさらに構成される、Ｃ１に記載の装置。
［Ｃ４］
前記電子ハードウェアプロセッサは、前記２つ以上の局が前記複数のアップリンクデータ送信の終わりでパケット拡張シンボルを含むかどうかについてのインジケーションを備えるために前記クリアツートランスミットメッセージを生成するようにさらに構成される、Ｃ１に記載の装置。
［Ｃ５］
前記電子ハードウェアプロセッサは、前記２つ以上の局が送信することの前にワイヤレス媒体の状態を検討するという第２のインジケーションを備えるために前記クリアツートランスミットメッセージを生成するようにさらに構成され、ここにおいて、前記クリアツートランスミットメッセージは、前記ワイヤレス媒体の前記状態を検討中の前記２つ以上の局によって利用されるクリアチャネルアセスメントしきい値の第３のインジケーションをさらに備える、Ｃ１に記載の装置。
［Ｃ６］
前記電子ハードウェアプロセッサは、ランダムアクセスのための１つまたは複数のリソースユニットを決定するように、および前記クリアツートランスミットメッセージにおいて、前記１つまたは複数のリソースユニットのインジケーションを含むようにさらに構成され、
前記受信機は、前記１つまたは複数のリソースユニットに基づいて、ランダムアクセスアップリンクデータを受信するようにさらに構成される、Ｃ１に記載の装置。
［Ｃ７］
前記電子ハードウェアプロセッサは、前記複数のアップリンクデータ送信のために前記２つ以上の局によって利用されるパケットタイプの第２のインジケーションおよび前記アップリンク送信機会の間、関連のまたは非関連の局が、送信し得るかどうかについての第３のインジケーションを備えるために前記クリアツートランスミットメッセージを生成するように構成される、Ｃ１に記載の装置。
［Ｃ８］
前記電子ハードウェアプロセッサは、前記クリアツートランスミットメッセージの送信電力および前記複数のアップリンクデータ送信のためのターゲット受信電力の第２のインジケーションを備えるために前記クリアツートランスミットメッセージを生成するようにさらに構成される、Ｃ１に記載の装置。
［Ｃ９］
ワイヤレス通信のための方法であって、
電子ハードウェアプロセッサを介して、アップリンク送信機会、および、特定の時間において、２つ以上の局がアップリンクデータをコンカレントに送信することを求める要求を示すクリアツートランスミットメッセージを生成することと、
前記電子ハードウェアプロセッサを介して、前記２つ以上の局に前記クリアツートランスミットメッセージを送信することと、
前記電子ハードウェアプロセッサを介して、前記２つ以上の局のうちの少なくとも２つの局から前記特定の時間において複数のアップリンクデータ送信を受信することと
を備える、方法。
［Ｃ１０］
前記２つ以上の局の全てに共通の情報を含む共通情報フィールド、および前記２つ以上の局の各々にそれぞれ対応する２つ以上の個別情報フィールドをさらに含むために前記クリアツートランスミットメッセージを生成することをさらに備える、Ｃ９に記載の方法。
［Ｃ１１］
前記複数のアップリンクデータ送信のために使用されるＯＦＤＭシンボルの数を示す９つのビットの持続時間フィールドを備えるためにさらに含むために、前記クリアツートランスミットメッセージを生成することをさらに備える、Ｃ９に記載の方法。
［Ｃ１２］
前記２つ以上の局が前記複数のアップリンクデータ送信の終わりでパケット拡張シンボルを含むかどうかについてのインジケーションをさらに含むために前記クリアツートランスミットメッセージを生成することをさらに備える、Ｃ９に記載の方法。
［Ｃ１３］
前記２つ以上の局が送信することの前にワイヤレス媒体の状態を検討するという第２のインジケーション、および前記ワイヤレス媒体の前記状態を検討中の前記２つ以上の局によって利用されるクリアチャネルアセスメントしきい値の第３のインジケーションをさらに含むために前記クリアツートランスミットメッセージを生成するためにさらに備える、Ｃ９に記載の方法。
［Ｃ１４］
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、Ｃ９に記載の方法。
［Ｃ１５］
前記複数のアップリンクデータ送信のための前記２つ以上の局によって利用されるパケットタイプのインジケーションをさらに含むために前記クリアツートランスミットメッセージを生成することと、ここにおいて、前記クリアツートランスミットメッセージは、前記アップリンク送信機会の間、関連のまたは非関連の局が、送信し得るかどうかについてのインジケーションをさらに備える、Ｃ９に記載の方法。
［Ｃ１６］
前記クリアツートランスミットメッセージの送信電力および前記複数のアップリンクデータ送信のためのターゲット受信電力のインジケーションをさらに含むために前記クリアツートランスミットメッセージを生成することをさらに備える、Ｃ９に記載の方法。
［Ｃ１７］
ワイヤレス通信のための装置であって、
アップリンク送信機会を示すクリアツートランスミットメッセージを生成するための手段、前記クリアツートランスミットメッセージは、特定の時間において、２つ以上の局がアップリンクデータをコンカレントに送信することを求める要求をさらに備える、
前記２つ以上の局に前記クリアツートランスミットメッセージを送信するための手段と、前記２つ以上の局のうちの少なくとも２つの局から前記特定の時間において複数のアップリンクデータ送信を受信するための手段と
を備える、装置。
［Ｃ１８］
前記生成するための手段は、前記２つ以上の局の全てに共通の情報を含む共通情報フィールドを含むために前記クリアツートランスミットメッセージを生成するように、および、前記２つ以上の局の各々にそれぞれ対応する２つ以上の個別情報フィールドもまた含むために前記クリアツートランスミットメッセージを生成するように構成される、Ｃ１７に記載の装置。
［Ｃ１９］
前記生成するための手段は、前記複数のアップリンクデータ送信のために使用されるＯＦＤＭシンボルの数を示す９つのビットの持続時間フィールドを含むために前記クリアツートランスミットメッセージを生成するように構成される、Ｃ１７に記載の装置。
［Ｃ２０］
前記生成するための手段は、前記２つ以上の局が前記複数のアップリンクデータ送信の終わりでパケット拡張シンボルを含むかどうかについてのインジケーションを含むために前記クリアツートランスミットメッセージを生成するように構成される、Ｃ１７に記載の装置。
［Ｃ２１］
前記生成するための手段は、前記２つ以上の局が送信することの前にワイヤレス媒体の状態を検討するという第２のインジケーションを含むために前記クリアツートランスミットメッセージを生成するように構成され、前記ワイヤレス媒体の前記状態を検討中の前記２つ以上の局によって利用されるクリアチャネルアセスメントしきい値の第３のインジケーションを含むために前記クリアツートランスミットメッセージを生成するようにまた構成される、Ｃ１７に記載の装置。
［Ｃ２２］
ランダムアクセスのための１つまたは複数のリソースユニットを決定するための手段と、
前記クリアツートランスミットメッセージにおいて、前記１つまたは複数のリソースユニットのインジケーションを送信するための手段と、
前記１つまたは複数のリソースユニットに基づいて、ランダムアクセスアップリンクデータを受信するための手段と
をさらに備える、Ｃ１７に記載の装置。
［Ｃ２３］
前記生成するための手段は、前記複数のアップリンクデータ送信のために前記２つ以上の局によって利用されるパケットタイプの第２のインジケーションを含むために前記クリアツートランスミットメッセージを生成するように構成され、前記生成するための手段はまた、前記アップリンク送信機会の間、関連のまたは非関連の局が、送信し得るかどうかについての第３のインジケーションをさらに含むために前記クリアツートランスミットメッセージを生成するように構成される、Ｃ１７に記載の装置。
［Ｃ２４］
前記生成するための手段は、前記クリアツートランスミットメッセージの送信電力および前記複数のアップリンクデータ送信のためのターゲット受信電力のインジケーションを含むために前記クリアツートランスミットメッセージを生成するように構成される、Ｃ１７に記載の装置。
［Ｃ２５］
非一時的コンピュータ読取り可能媒体であって、実行されると、プロセッサに、
アップリンク送信機会を示すクリアツートランスミットメッセージを生成することと、前記クリアツートランスミットメッセージは、特定の時間において、２つ以上の局がアップリンクデータをコンカレントに送信することを求める要求をさらに備える、
前記２つ以上の局に前記クリアツートランスミットメッセージを送信することと、
前記２つ以上の局のうちの少なくとも２つの局から前記特定の時間において複数のアップリンクデータ送信を受信することと
の方法を行わせる命令を備える、非一時的コンピュータ読取り可能媒体。
［Ｃ２６］
前記クリアツートランスミットメッセージは、前記２つ以上の局の全てに共通の情報を含む共通情報フィールドを備えるためにさらに生成され、前記クリアツートランスミットメッセージは、前記２つ以上の局の各々にそれぞれ対応する２つ以上の個別情報フィールドをさらに備える、Ｃ２５に記載の非一時的コンピュータ読取り可能媒体。
［Ｃ２７］
前記クリアツートランスミットメッセージは、前記複数のアップリンクデータ送信のために使用されるＯＦＤＭシンボルの数を示す９つのビットの持続時間フィールドを備えるためにさらに生成される、Ｃ２５に記載の非一時的コンピュータ読取り可能媒体。
［Ｃ２８］
前記クリアツートランスミットメッセージは、前記２つ以上の局が前記複数のアップリンクデータ送信の終わりでパケット拡張シンボルを含むかどうかについてのインジケーションを備えるためにさらに生成される、Ｃ２５に記載の非一時的コンピュータ読取り可能媒体。
［Ｃ２９］
前記クリアツートランスミットメッセージは、前記２つ以上の局が送信することの前にワイヤレス媒体の状態を検討するという第２のインジケーションを備えるためにさらに生成され、ここにおいて、前記クリアツートランスミットメッセージは、前記ワイヤレス媒体の前記状態を検討中の前記２つ以上の局によって利用されるクリアチャネルアセスメントしきい値の第３のインジケーションをさらに備える、Ｃ２５に記載の非一時的コンピュータ読取り可能媒体。
［Ｃ３０］
前記方法は、
ランダムアクセスのための１つまたは複数のリソースユニットを決定することと、
前記クリアツートランスミットメッセージにおいて、前記１つまたは複数のリソースユニットのインジケーションを送信することと、
前記１つまたは複数のリソースユニットに基づいて、ランダムアクセスアップリンクデータを受信することと
をさらに備える、Ｃ２５に記載の非一時的コンピュータ読取り可能媒体。
［Ｃ３１］
前記クリアツートランスミットメッセージは、前記複数のアップリンクデータ送信のための前記２つ以上の局によって利用されるパケットタイプのインジケーションを備えるためにさらに生成され、前記クリアツートランスミットメッセージは、前記アップリンク送信機会の間、関連のまたは非関連の局が、送信し得るかどうかについてのインジケーションをさらに備える、Ｃ２５に記載の非一時的コンピュータ読取り可能媒体。
［Ｃ３２］
前記クリアツートランスミットメッセージは、前記クリアツートランスミットメッセージの送信電力および前記複数のアップリンクデータ送信のためのターゲット受信電力のインジケーションを備えるためにさらに生成される、Ｃ２５に記載の非一時的コンピュータ読取り可能媒体。
【図１】
0006571280.tif 000002
【図２】
0006571280.tif 000003
【図３】
0006571280.tif 000004
【図４Ａ】
0006571280.tif 000005
【図４Ｂ】
0006571280.tif 000006
【図５】
0006571280.tif 000007
【図６】
0006571280.tif 000008
【図７】
0006571280.tif 000009
【図８】
0006571280.tif 000010
【図９】
0006571280.tif 000011
【図１０】
0006571280.tif 000012
【図１１】
0006571280.tif 000013
【図１２】
0006571280.tif 000014
【図１３】
0006571280.tif 000015
【図１４】
0006571280.tif 000016
【図１５】
0006571280.tif 000017